(57)【要約】【課題】リユース可能医療器材のリプロセス処理を効率的に進めるためのスケジュール管理システムを提供する。【解決手段】スケジュール管理システムにおいて、スケジュール生成装置は、各医療行為に使用する医療器材を割り当て、使用後の医療器材を再使用可能な状態にするためのリプロセス作業計画を作成する。作業支援装置は、リプロセス作業者に作業指針を提示する。器材リスト取得部は、医療行為について、その医療行為に使用される医療器材種のリストを取得する。器材特定部は、リストに含まれる各医療器材種について、医療行為に割り当てる医療器材として、使用可能となる日時が、その医療行為の開始日時よりも早いと予測される医療器材を、その医療器材に割り当てられた識別情報によって特定する。所要時間記憶部は、医療器材と、その医療器材の各リプロセス工程にかかる所要時間とを関連づけて格納する。【選択図】図１
2012164285.tif 000002
【特許請求の範囲】
【請求項１】
スケジュール管理システムであって、
各医療行為に使用する医療器材を割り当て、使用後の医療器材を再使用可能な状態にするためのリプロセス作業計画を作成するスケジュール生成装置と、
リプロセス作業者に作業指針を提示する作業支援装置とを備え、
前記スケジュール生成装置は、
医療行為について、その医療行為に使用される医療器材種のリストを取得する器材リスト取得部と、
前記リストに含まれる各医療器材種について、前記医療行為に割り当てる医療器材として、使用可能となる日時が、その医療行為の開始日時よりも早いと予測される医療器材を、その医療器材に割り当てられた識別情報によって特定する器材特定部と、
医療器材と、その医療器材の各リプロセス工程にかかる所要時間とを関連づけて格納する所要時間記憶部と、
前記所要時間記憶部を参照し、特定された医療器材の各リプロセス工程について、遅くともそのリプロセス作業を開始するべき日時であるデッドラインを算出するデッドライン算出部と、
各医療器材について、前記デッドライン算出部が算出したデッドラインを格納するスケジュール記憶部と、
を備え、
前記作業支援装置は、
リプロセス作業者に前記デッドライン算出部が算出したデッドラインを提示するためのデータを生成する提示データ生成部を備えることを特徴とするスケジュール管理システム。
【請求項２】
前記作業支援装置は、
使用後に回収された医療器材に付された識別標識から識別情報を読み取るための読み取り部と、
前記スケジュール記憶部を参照し、識別情報が読み取られた医療器材のデッドラインを取得するスケジュール照合部と、をさらに備え、
前記提示データ生成部は、デッドラインが取得された医療器材のうち、デッドラインが他の医療器材のデッドラインよりも早い医療器材の情報の提示態様と、他の医療器材の情報の提示態様とを異ならせて提示データを生成することを特徴とする請求項１に記載のスケジュール管理システム。
【請求項３】
前記作業支援装置は、
各リプロセス工程における作業を支援するための支援情報を格納するリプロセス作業情報記憶部をさらに備え、
前記提示データ生成部は、前記リプロセス作業情報記憶部を参照し、医療器材のデッドラインとともに、支援情報を提示するためのデータを生成することを特徴とする請求項１に記載のスケジュール管理システム。
【請求項４】
前記スケジュール生成装置は、
各医療器材の所在を示す所在情報を格納するステータス記憶部をさらに備え、
前記スケジュール記憶部は、医療器材が医療行為に割り当てられている場合に、割り当てられた医療行為に使用された後のその医療器材の回収予定日時をさらに格納し、
前記器材特定部は、前記所在情報および前記回収予定日時を参照して、使用可能となる日時が最も早いと予測される医療器材を特定することを特徴とする請求項１に記載のスケジュール管理システム。
【請求項５】
前記所要時間記憶部は、複数のリプロセス方法と、その方法によるリプロセス処理にかかる所要時間とを関連づけて格納し、
前記デッドライン算出部は、特定された医療器材について算出したデッドラインが、その医療器材を割り当てられた医療行為に使用するための時間的条件を充たさない場合に、前記所要時間記憶部を参照し、先に採用したリプロセス方法の所要時間よりも所要時間が短いリプロセス方法を採用して、デッドラインを算出することを特徴とする請求項１に記載のスケジュール管理システム。
【請求項６】
リプロセス作業管理者によるリプロセススケジュール管理を支援する計画支援装置をさらに備え、
前記計画支援装置は、
リプロセス工程で必要となる作業量の和である積算作業量の算出を指示し、算出された積算作業量を取得する作業量算出指示部と、
リプロセス工程の積算作業量を提示するためのデータを生成する提示データ生成部を備え、
前記スケジュール生成装置は、
リプロセス工程で必要となる積算作業量を算出する作業量算出部をさらに備えることを特徴とする請求項１に記載のスケジュール管理システム。
【請求項７】
スケジュール管理方法であって、
各医療行為に使用する医療器材を割り当て、使用後の医療器材を再使用可能な状態にするためのリプロセス作業計画を作成するスケジュール生成ステップと、
リプロセス作業者に作業指針を提示する作業支援ステップとを備え、
前記スケジュール生成ステップは、
医療行為について、その医療行為に使用される医療器材種のリストを取得する器材リスト取得ステップと、
前記リストに含まれる各医療器材種について、前記医療行為に割り当てる医療器材として、使用可能となる日時が、その医療行為の開始日時よりも早いと予測される医療器材を、その医療器材に割り当てられた識別情報によって特定する器材特定部ステップと、
医療器材と、その医療器材のリプロセスの各工程の作業にかかる所要時間とを関連づけて格納する所要時間記憶部を参照し、特定された医療器材の各リプロセス工程について、遅くともそのリプロセス作業を開始するべき日時であるデッドラインを算出するデッドライン算出ステップと、
を備え、
前記作業支援ステップは、
リプロセス作業者に前記デッドラインを提示するためのデータを生成する提示データ生成ステップを備えることを特徴とするスケジュール管理方法。
【発明の詳細な説明】
【技術分野】
【０００１】
本発明は、スケジュール管理システムおよびスケジュール管理方法に関し、特に、医療行為において使用される医療器材のリプロセス作業のスケジュールを管理するためのシステムおよび方法に関する。
【背景技術】
【０００２】
病院などの医療施設では、使い捨てタイプや、繰り返し使用可能なタイプなど、様々な医療器材が使用される。繰り返し使用が可能な医療器材（以下、リユース可能医療器材ともいう）については、検査や医療行為などに用いられた後、次に使用する前に、洗浄、消毒および滅菌等のリプロセス処理が必要となる。
このようなリユース可能医療器材の使用状況やリプロセス状況などのステータスを管理するための技術が提案されている。
【０００３】
例えば特許文献１には、売買対象器材と賃貸借器材の両方について、その使用を管理し、また、賃貸借器材の洗浄および再滅菌するプロセスの進行を記録するなど、医療器材の循環状況を管理する医療器材管理システムが示されている。
また、特許文献２には、耐熱保護材に被服して作成された、データ更新可能な識別タグを手術器具に付設して管理する手術器具管理システムが示されている。
【０００４】
また、概して多忙であり、かつ正確な作業が要求される医療現場において、効率的に作業をすすめるための技術も提案されている。
【０００５】
例えば、特許文献３には、医療施設に設置された医用画像装置や検体分析システムなどの医用機器にかかる条件情報を収集し、収集された条件情報にもとづいて、定期点検等の保守作業内容を決定し、その内容を保守担当者に提供するシステムが示されている。
また、特許文献４には、医療施設において、物品を搬送するための搬送ルートを設定し、搬送者に通知する医療業務支援システムが示されている。
【０００６】
また、在庫型の物流、配送システムにおいて、効率的に物品をピッキングするための技術も提案されている。
【０００７】
例えば、特許文献５には、受注物品の出荷先毎に、容易に、複数のピッキング方式から選択された方式でピッキングするためのピッキングスケジュール作成システムが示されている。
【先行技術文献】
【特許文献】
【０００８】
【特許文献１】特開２００５−３０９７０２号公報
【特許文献２】特開２００３−１１１７７２号公報
【特許文献３】特開２００５−１２２７０７号公報
【特許文献４】特開２００９−１１６６６７号公報
【特許文献５】特開２００７−３９１８１号公報
【発明の概要】
【発明が解決しようとする課題】
【０００９】
リユース可能医療器材のリプロセス工程は、洗浄、消毒、組み立て、滅菌などの複数の工程を含み、リプロセス作業者は、通常、洗浄室、滅菌室などの複数の場所に分かれて配置されている。
各工程で必要となるリプロセス処理の作業量は時間的に均一ではなく、多いときもあれば、少ないときもある。
【００１０】
例えば、使用した全ての医療器材のリプロセス処理がその日のうちに終了している場合には、翌日の朝の時点では、リプロセス処理すべき医療器材は存在しない。
一方、複数の手術の終了のタイミングが重なったときには、大量の使用済み医療器材がリプロセス作業室に運び込まれることもある。
【００１１】
リプロセス処理の各工程に、作業量の多いときに見合った作業人員や装置などのリソースを配置することとすれば、余裕をもってリプロセス処理を進めることができるが、作業量の少ないときには、リソースを遊ばせておくことになり、コストの面で無駄が生じる。
効率的に作業を進めるためには、１日分の積算した作業量をならして、常に、単位時間あたりの処理量が同程度となるように、リプロセス処理を進めることが望ましい。
【００１２】
リプロセス処理の作業現場においては、通常、手術室や処置室などから戻ってきた使用済の医療器材が、届いたものから順次、処理されていく。しかしながら、医療器材の中には、その医療施設で保持している数が少ないものもあり、また、次の使用予定が入っているため、迅速にリプロセス処理を進める必要があるものもある。これに対して、次の使用予定が入っておらず、リプロセス処理を後回しにしてもよい医療器材もある。
【００１３】
緊急にリプロセスすべき医療器材がある場合、現状では、例えば、リプロセス作業の管理を担当する看護士長などの医療スタッフが、手術室の士長等と連携をとりながら、作業者に注意を促すことで、その医療器材のリプロセス処理を、他の医療器材に優先させて進めている。
【００１４】
しかしながら、緊急のリプロセス処理が必要となる都度、リプロセス管理担当者が、リプロセス作業者に適切なタイミングで注意を促さなければならないこととすると、リプロセス管理担当者に過度の負担を強いることとなり、他の業務に支障をきたす可能性がある。
また、多忙な医療業務のさなかで、緊急にリプロセス処理すべき医療器材についての連絡を忘れたり、連絡が遅れたりしたために、次の使用時刻までに医療器材を準備できないといった事態が発生することも予想される。
【課題を解決するための手段】
【００１５】
上記課題を解決するために、本発明のある態様のスケジュール管理システムは、各医療行為に使用する医療器材を割り当て、使用後の医療器材を再使用可能な状態にするためのリプロセス作業計画を作成するスケジュール生成装置と、リプロセス作業者に作業指針を提示する作業支援装置とを備える。スケジュール生成装置は、医療行為について、その医療行為に使用される医療器材種のリストを取得する器材リスト取得部と、リストに含まれる各医療器材種について、医療行為に割り当てる医療器材として、使用可能となる日時が、その医療行為の開始日時よりも早いと予測される医療器材を、その医療器材に割り当てられた識別情報によって特定する器材特定部と、医療器材と、その医療器材の各リプロセス工程にかかる所要時間とを関連づけて格納する所要時間記憶部と、所要時間記憶部を参照し、特定された医療器材の各リプロセス工程について、遅くともそのリプロセス作業を開始するべき日時であるデッドラインを算出するデッドライン算出部と、各医療器材について、デッドライン算出部が算出したデッドラインを格納するスケジュール記憶部と、を備える。作業支援装置は、リプロセス作業者にデッドライン算出部が算出したデッドラインを提示するためのデータを生成する提示データ生成部を備える。
【００１６】
本発明の別の態様は、スケジュール管理方法である。この方法は、各医療行為に使用する医療器材を割り当て、使用後の医療器材を再使用可能な状態にするためのリプロセス作業計画を作成するスケジュール生成ステップと、リプロセス作業者に作業指針を提示する作業支援ステップとを備える。スケジュール生成ステップは、医療行為について、その医療行為に使用される医療器材種のリストを取得する器材リスト取得ステップと、リストに含まれる各医療器材種について、医療行為に割り当てる医療器材として、使用可能となる日時が、その医療行為の開始日時よりも早いと予測される医療器材を、その医療器材に割り当てられた識別情報によって特定する器材特定部ステップと、医療器材と、その医療器材のリプロセスの各工程の作業にかかる所要時間とを関連づけて格納する所要時間記憶部を参照し、特定された医療器材の各リプロセス工程について、遅くともそのリプロセス作業を開始するべき日時であるデッドラインを算出するデッドライン算出ステップと、を備える。作業支援ステップは、リプロセス作業者にデッドラインを提示するためのデータを生成する提示データ生成ステップを備える。
【００１７】
なお、以上の構成要素の任意の組合せ、本発明の表現を方法、装置、システム、コンピュータプログラム、コンピュータプログラムを格納した記憶媒体、データ構造などの間で変換したものもまた、本発明の態様として有効である。
【発明の効果】
【００１８】
本発明によれば、医療器材のリプロセス業務を効率的に進めるためのスケジュール管理システムおよびスケジュール管理方法を提供することができる。
【図面の簡単な説明】
【００１９】
【図１】実施の形態にかかるスケジュール管理システムを含む医療業務支援システムの模式的な構成図である。
【図２】医療業務支援システムの医療情報管理サーバの手術情報記憶部に格納される手術器材種テーブルの例を示す図である。
【図３】実施の形態にかかるスケジュール管理システムのスケジュール生成装置の器材ステータス記憶部に保持され、器材特定部によって参照される器材ステータステーブルを示す図である。
【図４】スケジュール生成装置の所要時間記憶部に記憶され、医療器材種と、その医療器材種のリプロセスの各工程の作業にかかる所要時間とを関連づけて格納する工程別所要時間テーブルの例を示す図である。
【図５】スケジュール生成装置のスケジュール記憶部に記憶され、デッドライン算出部が算出したデッドラインが記述されるリプロセススケジュールテーブルの例を示す図である。
【図６】スケジュール管理システムの作業支援装置の構成を示す図である。
【図７】作業支援装置の作業指針提示部において、リプロセス作業者などのユーザに提示する表示画面の例を示す図である。
【図８】スケジュール管理システムの計画支援装置の構成を示す図である。
【図９】スケジュール管理システムがリプロセススケジュールを作成する処理の手順を示すフローチャートである。
【図１０】術式、執刀医、リプロセス作業者の三つの項目によって細かくリードタイムを設定するための作業者毎リードタイムテーブルの例を示す図である。
【図１１】図１１（ａ）〜図１１（ｃ）は、作業者毎リードタイムテーブルよりも、粗い粒度でリードタイムを設定する場合の、執刀医毎リードタイムテーブル、術式毎リードタイムテーブル、工程毎リードタイムテーブルをそれぞれ示す図である。
【図１２】ある条件下でのリードタイム値を取得するために、スケジュール生成装置のリードタイム取得部がリードタイムを取得する際の命令を作成するためのリードタイム検索命令作成テーブルの例を示す図である。
【図１３】リプロセススケジュールをわかりやすい形態でユーザに提示し、ユーザによるスケジュールの変更や微調整などを可能とするインタフェイスを提供するスケジュール表示画面の例を示す図である。
【図１４】スケジュール生成装置のピース作成部が、各ピースの長さや位置を決定し、作業ピースを画面に表示するためのデータを作成する手順を示すフローチャートである。
【図１５】スケジュール生成装置の割当処理部が、各機械稼働ピースに対して、リプロセス作業者を割り当てる処理の手順を説明するためのフローチャートである。
【図１６】スケジュール生成装置の割当処理部が、各作業ピースに対して、作業開始時刻、終了時刻を決定し、リプロセス作業者を割り当てる処理の手順を説明するためのフローチャートである。
【図１７】スケジュール生成装置の作業者情報記憶部に格納される作業者優先順位テーブルを示す図である。
【図１８】スケジュール生成装置の作業者情報記憶部に格納される作業者勤務情報テーブルを示す図である。
【図１９】スケジュール生成装置の割当処理部が生成し、作業者情報記憶部に格納する作業者割当テーブルを示す図である。
【図２０】詳細なリプロセススケジュールを作成する際に、各手術で用いられた医療器材について、手術別優先度と残余時間によってリプロセススケジュールに割り当てる順序を決定する処理を説明するためのフローチャートである。
【発明を実施するための形態】
【００２０】
はじめに、本発明の概要を説明する。
病院などの医療期間において実施される手術の術式は数百に及び、それぞれの術式において使用される医療器材の組み合わせも様々である。
医師から手術のオーダが出されると、その手術の術式や医師の指示に合わせて、手術の開始時刻に間に合うように、その手術で使用される医療器材のセットが準備される。
医療器材のセットに含まれる各医療器材のうち、鋼製小物等のリユース可能医療器材は、使用後にリプロセス処理が施されてから、再び他の手術に使用できる状態となる。
【００２１】
病院などの医療機関においては、同種の医療器材が多数用意されている器材もあるが、使用頻度が低かったり、高価であったりするため、限られた数しか購入されていない医療器材もある。
このような医療器材が、１日、あるいは、数日のうちに複数の手術に割り当てられているような場合には、特にリプロセススケジュール作成に当たって、注意が必要となる。
この他にも、スケジュール作成の際に考慮すべき事項は多岐にわたり、熟練した管理担当者でも、スケジュール作成には時間がかかる。
【００２２】
本発明にかかるスケジュール管理システムは、手術予定とその手術に用いる医療器材種およびその数量のリストをもとに、その手術に使用する医療器材を自動で割り当てる。そして、割り当てた各医療器材について、その手術に間に合うように準備するために、遅くともいつまでに、各リプロセス処理を開始すればよいか、デッドラインを算出する。そして、リプロセスの各工程で作業する作業者や、リプロセス作業の管理者に、どの医療器材を優先的に処理すべきか提示する。
【００２３】
また、本発明にかかるスケジュール管理システムは、手術に対して割り当てた医療器材について、通常のリプロセス方法を用いる時間的な余裕がない場合に、そのリプロセス方法に代えて、より短時間で処理が終了するリプロセス方法を採用し、余裕をもたせたリプロセス処理のスケジュールを作成する。
【００２４】
以下、図面を参照して、本発明にかかるスケジュール管理システム３０の構成について詳細に説明する。
【００２５】
図１は、本実施例にかかるスケジュール管理システム３０を含む医療業務支援システム１０の模式的な構成図である。
医療業務支援システム１０は、医療施設内に構築され、患者に施す医療行為に関する情報である医療情報を管理する医療情報管理サーバ２０と、リユース可能医療器材のリプロセス処理に関するスケジュールを管理するスケジュール管理システム３０とを備える。
【００２６】
医療情報管理サーバ２０は、医療施設の各診療部門のシステム（図示せず）において発行されるオーダ情報をデータベース化して管理する。オーダ情報は、医師や看護師などの医療スタッフにより発行される医療業務の内容を特定する情報である。
医療情報管理サーバ２０は、医療情報のうち、特に手術にかかる医療情報を格納する手術情報記憶部２２と、ネットワークを介して他のサーバ、システム、クライアント端末等とデータを送受信する通信部２４とを備える。
【００２７】
図２は、手術情報記憶部２２に格納される手術オーダテーブル１２０の例を示す。手術オーダテーブル１２０は、手術識別情報欄１２２、手術予定日時欄１２４、医療器材種欄１２６、および、数量欄１２８を含む。
手術識別情報欄１２２には、各手術を一意に識別するための手術識別情報が記述される。手術予定日時欄１２４には、その手術の開始予定日時および終了予定日時が記述される。医療器材種欄１２６には、その手術で使用される医療器材の種類である医療器材種が記述される。数量欄１２８には、使用される医療器材種それぞれについて、必要とされる数量が記述される。
【００２８】
図１に戻る。
スケジュール管理システム３０は、各手術に割り当てる医療器材を特定し、特定した医療器材についてリプロセス計画を作成するスケジュール生成装置１００、各リプロセス工程においてリプロセス作業者に、例えば、処理すべき医療器材を優先度の高いものから示すなど、作業指針を提示する作業支援装置４０、および、リプロセス管理担当者に、リプロセス作業予定の一覧や各工程の積算作業量を提示し、リプロセス処理のスケジュール管理を支援する計画支援装置６０を備える。
【００２９】
医療情報管理サーバ２０、スケジュール生成装置１００、作業支援装置４０、および、計画支援装置６０は、イントラネット、ローカルエリアネットワーク（ＬＡＮ）、広域ネットワーク（ＷＡＮ）、仮想プライベートネットワーク（ＶＰＮ）、インターネットなどのネットワーク１２およびネットワーク３２により、通信可能に接続される。
【００３０】
図１においては、一の作業支援装置４０が示されているが、作業支援装置４０は、複数備えられてもよい。例えば、リプロセスの各工程ごとに一の作業支援装置４０が備えられてもよく、また、洗浄室、滅菌室などの部屋ごとに備えられてもよい。また、作業支援装置４０、および、計画支援装置６０は、リプロセス作業員やリプロセス管理担当者などのユーザが携帯するＰＤＡ（Personal Digital Assistants）などの携帯端末として構成されてもよい。
【００３１】
スケジュール生成装置１００は、器材リスト取得部１０２、器材特定部１０４、デッドライン算出部１０６、作業量算出部１０８、所要時間記憶部１１２、通信部１１４、優先度判定部１１６、スケジュール記憶部１１８、および、器材ステータス記憶部１１９を含む。
【００３２】
スケジュール生成装置１００は、例えば、計画支援装置６０からスケジュール作成指示を受け取ったときや、事前に設定されたスケジュール作成時刻になったときに、手術に使用する医療器材を割り当て、割り当てられた医療器材のリプロセス処理におけるデッドラインを算出する。
まず、器材リスト取得部１０２が、スケジュール管理システム３０の通信部１１４、および、医療情報管理サーバ２０の通信部２４を介して、手術情報記憶部２２から、リプロセススケジュールを作成すべき手術の情報を取得する。手術の情報には、手術予定日時および、各手術に必要な医療器材種のリストが含まれる。
リプロセススケジュールを作成すべき手術として、器材リスト取得部１０２は、例えば、リプロセススケジュールが未だ作成されていない手術の情報を取得する。あるいは、計画支援装置６０がリプロセススケジュール作成を指示する際に指定した対象期間内に行われる予定の手術の情報を取得してもよい。
【００３３】
例えば、計画支援装置６０が、対象期間を２０１０年２月９日から１０日とするリプロセススケジュール作成を指示した場合、器材リスト取得部１０２は、手術情報記憶部２２に格納される、図２に示した手術オーダテーブル１２０から、手術ＩＤ２０１０２５８で特定される手術と、手術ＩＤ２０１０２８２で特定される手術の情報を取得する。
この場合、二つの手術のうち、まずは手術予定日時の早い手術ＩＤ２０１０２５８の手術から、使用器材特定処理、および、リプロセススケジュール作成処理が進められる。
【００３４】
器材リスト取得部１０２は、手術ＩＤ２０１０２５８の手術情報を、器材特定部１０４に受け渡す。具体的には、例えば、図２に示される手術ＩＤ２０１０２５８の手術予定日時、必要となる医療器材種、および、その数量に関する情報を器材特定部１０４に受け渡す。
器材特定部１０４は、手術ＩＤ２０１０２５８の手術において必要とされる医療器材種のそれぞれについて、実際に使用する医療器材を特定する。その際、その医療器材に割り当てられた、各医療器材を一意に識別するための識別情報（以下、「医療器材ＩＤ」ともいう）によって、特定する。
【００３５】
医療器材ＩＤは、たとえば、図形、数字、文字などを用いた識別標識として、各医療器材に貼付、レーザ刻印、印刷等により付され、あるいは、ＲＦＩＤ（Radio Frequency Identification）のように電磁気的タグなどの形態で付される。
識別標識がラベルやタグの形態で医療器材に付される場合には、リプロセス処理に耐えられるように、耐水、耐熱性のラベルやタグが付されてもよく、または、リプロセス処理後に毎回、新たなラベルやタグが付されてもよい。
【００３６】
器材特定部１０４は、各手術に使用する医療器材として、使用可能となる日時が、その手術の開始日時よりも早いと予測される医療器材を特定する。
【００３７】
器材特定部１０４は、医療器材が他の手術にすでに割り当てられている場合には、その医療器材にすでに割り当てられている手術の中で最後の手術の終了時間に、その医療器材について最低でも必要なリプロセス時間である最短リプロセス可能時間を足すことにより、使用可能となる使用可能日時を算出してもよい。そして、その使用可能日時が、割り当てようとする手術の開始日時よりも前であれば、その医療器材が使用可能となる日時は、その手術の開始日時よりも早いと予測して、その医療器材を、その手術に使用する医療器材として、特定してもよい。
【００３８】
また、器材特定部１０４は、医療器材が、まだ他の手術に割り当てられていない場合には、スケジュールを作成している時点での現在日時に、最短リプロセス可能時間を足すことにより、使用可能となる使用可能日時を算出してもよい。そして、その使用可能日時が、割り当てようとする手術の開始日時よりも前であれば、その医療器材が使用可能となる日時は、その手術の開始日時よりも早いと予測して、その医療器材を、その手術に使用する医療器材として、特定してもよい。
【００３９】
器材特定部１０４は、使用可能となる時刻が、その手術の開始時刻よりも早いと予測される医療器材が複数存在するときには、そのうちの一の医療器材を、手術に使用する医療器材として、特定する。
器材特定部１０４は、例えば、前述の使用可能日時が、最も早い一の医療器材を、特定してもよい。
【００４０】
また、器材特定部１０４は、スケジュール作成時点における各医療器材のステータスを参照して、使用可能となる時刻が最も早いと予測される医療器材を、実際に使用する一の医療器材として特定してもよい。
【００４１】
図３は、器材ステータス記憶部１１９に保持され、器材特定部１０４によって参照される、各医療器材の所在を示す所在情報を示す器材ステータステーブル１３０の例を示す図である。器材ステータステーブル１３０は、医療器材種欄１３２、医療器材ＩＤ欄１３４、使用ステータス欄１３６、洗浄ステータス欄１３８、組み立てステータス欄１４０、滅菌ステータス欄１４２、保管ステータス欄１４４、および、予約ステータス欄１４６を備える。
【００４２】
医療器材種欄１３２には、各医療器材の種類が記述される。医療器材ＩＤ欄１３４には、各医療器材の識別情報が記述される。使用ステータス欄１３６、洗浄ステータス欄１３８、組み立てステータス欄１４０、滅菌ステータス欄１４２、および、保管ステータス欄１４４は、各医療器材が、使用中、洗浄中、組み立て中、滅菌中、または、保管中のいずれの工程にあるかを示す。
現在、その医療器材が存在する工程のステータス欄には「１」が、それ以外のステータス欄には「０」が記述される。
各医療器材は、医療器材の払い出し時、使用開始時、回収時、リプロセスの各工程に受け渡された時などに、医療器材に付された識別標識から識別情報が読み込まれることにより追跡され、器材ステータステーブル１３０にそのステータスが記録される。
【００４３】
なお、本明細書において、「リプロセス工程」とは、使用後の医療器材に処理を施して、再使用可能な状態とするまでに必要な一連のリプロセス処理を、洗浄、組み立て、滅菌、払い出しのように、順次行われる複数のリプロセス処理に分けた場合の各リプロセス処理を指す。
これに対して、「リプロセス方法」とは、一のリプロセス工程において、複数の処理方法のうちの一を選択可能である場合の、各処理方法をいう。例えば、洗浄工程の一部である予備洗浄工程において、浸漬洗浄法、予備洗浄用スプレー洗剤噴射法等のうち、いずれか一の方法で予備洗浄を行えばよい場合、浸漬洗浄法や予備洗浄用スプレー洗剤噴射法を、リプロセス方法という。
【００４４】
予約ステータス欄１４６には、各医療器材が、まだ開始されていない手術に割り当て済みであるか否かが記述される。
【００４５】
器材特定部１０４が器材リスト取得部１０２から受け取った手術ＩＤ２０１０２５８の手術に必要な医療器材種のリストによると、器材Ａを二つ、この手術に割り当てる必要がある。よって、器材特定部１０４は、器材Ａのうち、使用可能となる時刻が最も早いと予測される医療器材を二つ特定する。
【００４６】
器材特定部１０４は、器材ステータステーブル１３０を参照し、器材Ａのうち、予約ステータスが「無」であり、かつ、リプロセス工程の最も下流、すなわち後の工程にある器材を特定する。
器材ステータステーブル１３０によると、器材Ａのうち、医療器材ＩＤがａ１０５、ａ１０６、および、ａ１０７の医療器材は、予約ステータスが「無」であり、かつ、最も下流の「保管」ステータスにある。
器材特定部１０４は、これらのうち、例えば医療器材ＩＤがａ１０５とａ１０６である医療器材を、手術ＩＤ２０１０２５８の手術に使用する医療器材として特定する。器材特定部１０４は、特定した医療器材ＩＤａ１０５とａ１０６の医療器材について、予約ステータス欄１４６を「有」に変更する。
【００４７】
なお、この例のように、最も下流のステータスに、必要数以上の医療器材が存在するときには、器材特定部１０４は、単純に、医療器材ＩＤなどの順序に基づいて、必要数分の医療器材を選択し、特定してもよい。または、そのステータスとなった時刻が他の医療器材よりも早い医療器材を選択し、特定してもよい。例えば、「保管」ステータスの場合、その医療器材の保管が開始された日時が早い医療器材から、必要数分の医療器材を選択し、特定する。また、その工程の終了予定日時が最も早い医療器材を選択し、特定してもよい。例えば、「使用中」ステータスにある医療器材については、使用開始時刻が早い医療器材が、必ずしも使用終了時刻も早いとは限らないため、使用終了予定日時の早い医療器材を選択し、特定することとしてもよい。
【００４８】
その工程の開始時刻や終了予定日時が同じ医療器材が複数ある場合には、さらに、その医療器材についてのこれまでの積算使用回数がより少ない医療器材を選択し、特定してもよい。この場合、器材ステータステーブル１３０はさらに、積算使用回数欄（図示せず）を備え、器材特定部１０４は、その積算使用回数欄を参照して、手術に割り当てる医療器材を選択し、特定してもよい。
【００４９】
次に、器材特定部１０４は、器材Ａの場合と同様に、器材Ｂについて、使用可能となる時刻が最も早いと予測される器材を特定する。
器材特定部１０４が器材リスト取得部１０２から受け取った手術ＩＤ２０１０２５８の手術に必要な医療器材種のリストによると、一の器材Ｂをこの手術に割り当てる必要がある。
器材特定部１０４は、器材ステータステーブル１３０を参照し、器材Ｂのうち、予約ステータスが「無」であり、かつ、最も後の「洗浄」工程にある医療器材ＩＤがｂ１０２の医療器材を、手術ＩＤ２０１０２５８の手術に使用する医療器材として特定する。
【００５０】
以下、器材特定部１０４は、器材Ｃ、Ｄ、Ｅについても同様に、使用可能となる日時が最も早いと予測される医療器材を、手術ＩＤ２０１０２５８の手術に使用する医療器材として特定する。そして、器材特定部１０４は、特定した医療器材に関する情報、および、その医療器材を割り当てた手術に関する情報を、デッドライン算出部１０６に受け渡す。
【００５１】
なお、必要な医療器材種の医療器材がすべて予約されている場合、すなわち、その医療器材種の医療器材のうち、予約ステータス欄１４６が「無」である医療器材がない場合には、器材特定部１０４は、割り当て済みの手術の情報を参照して、医療器材を選択し、特定する。器材特定部１０４は、例えば、予約されている手術のうち、最後の手術の終了時刻あるいは、その手術後の医療器材の回収予定時刻が最も早い医療器材を選択し、特定する。
この場合、器材ステータステーブル１３０は、さらに、最終予約手術終了予定日時欄（図示せず）を備えてもよい。そして、器材特定部１０４は、その最終予約手術終了予定日時欄を参照し、終了時刻が最も早い医療器材を選択し、使用する医療器材として特定してもよい。
また、器材特定部１０４は、例えば、後述するリプロセススケジュールテーブル１７０の使用後回収予定日時欄１８６を参照して、手術に割り当てる医療器材を特定してもよい。
【００５２】
このように、その医療器材のステータスが、もっとも使用可能状態に近いステータスにある医療器材を手術に割り当てる医療器材として特定することにより、余裕を持ったスケジュールを組むことができる。
また、一部の医療器材のみ繰り返し使用する等の、偏った使用を防ぐことができる。
また、滅菌済みの医療器材を使用せずに長期間保管することにより、滅菌有効期限が過ぎてしまうといった事態を防ぐことができ、リユース可能医療器材を効率よく使用することができる。
【００５３】
デッドライン算出部１０６は、器材特定部１０４によって特定された医療器材の各リプロセス工程について、遅くともそのリプロセス作業を開始するべき日時であるデッドラインを算出する。
以下、図４および図５を参照して、デッドライン算出部１０６が各リプロセス工程のデッドラインを算出する処理について説明する。
【００５４】
図４は、所要時間記憶部１１２に記憶され、各医療器材種と、その医療器材種のリプロセスの各工程の作業にかかる所要時間とを関連づけて格納する工程別所要時間テーブル１５０の例を示す。
工程別所要時間テーブル１５０は、医療器材種欄１５２、洗浄所要時間欄１５４、組み立て所要時間欄１５６、滅菌所要時間欄１５８、および、払い出し所要時間欄１６０を備える。医療器材種欄１５２には、各医療器材の種類が記述される。洗浄所要時間欄１５４には、各医療器材種の洗浄工程にかかると予想される時間が記述される。組み立て所要時間欄１５６には、各医療器材種の組み立て工程にかかると予想される時間が記述される。滅菌所要時間欄１５８には、各医療器材種の滅菌工程にかかると予想される時間が記述される。払い出し所要時間欄１６０には、各医療器材種の払い出し工程にかかると予想される時間が記述される。
【００５５】
図５は、スケジュール記憶部１１８に記憶され、デッドライン算出部１０６が算出したデッドラインが記述されるリプロセススケジュールテーブル１７０の例を示す。リプロセススケジュールテーブル１７０は、医療器材種欄１７２、医療器材ＩＤ欄１７４、前手術回収予定日時欄１７５、洗浄デッドライン欄１７６、組み立てデッドライン欄１７８、滅菌デッドライン欄１８０、払い出しデッドライン欄１８２、手術識別情報欄１８４、使用後回収予定日時欄１８６、および、優先度欄１８８を備える。
【００５６】
医療器材種欄１７２には、各医療器材の種類が記述される。医療器材ＩＤ欄１７４には、各医療器材の識別情報が記述される。前手術回収予定日時欄１７５には、現在、割り当て処理を行っている手術ＩＤ２０１０２５８の手術以外の手術にすでに割り当てられている医療器材について、その手術に使用された後、医療器材が回収される予定の日時（以下、「前手術回収予定日時」ともいう）が記述される。複数の手術に割り当てられている場合には、最も遅い回収予定日時が記述される。また、他の手術に使用された後、すでに回収されており、その手術の後の手術には割り当てられていない医療器材については、「済」と記述される。
【００５７】
洗浄デッドライン欄１７６には、遅くとも洗浄工程の作業を開始すべき日時が記述される。組み立てデッドライン欄１７８には、遅くとも組み立て工程の作業を開始すべき日時が記述される。滅菌デッドライン欄１８０には、遅くとも滅菌工程の作業を開始すべき日時が記述される。払い出しデッドライン欄１８２には、遅くとも払い出し工程の作業を開始すべき日時が記述される。手術識別情報欄１８４には、その医療器材が割り当てられた手術の識別情報が記述される。使用後回収予定日時欄１８６には、その医療器材が割り当てられた手術の終了日時、あるいは、手術の終了予定日時に標準的な搬送時間を加算することによって算出される回収予定日時が記述される。優先度欄１８８には、後述するように、優先度判定部１１６が判定する優先度が記述される。
【００５８】
なお、リプロセススケジュールテーブル１７０に記述される上述の情報を、本明細書において「リプロセススケジュール情報」ともいう。
【００５９】
デッドライン算出部１０６は、はじめに、手術ＩＤ２０１０２５８の手術に割り当てられた医療器材ＩＤがａ１０５の器材Ａについて、各工程のデッドラインを算出する。
デッドライン算出部１０６は、リプロセス工程の下流、すなわち後の工程から順次、デッドラインを算出する。
デッドライン算出部１０６は、まず、工程別所要時間テーブル１５０の払い出し所要時間欄１６０を参照して、器材Ａの払い出し所要時間を取得する。そして、手術ＩＤ２０１０２５８の手術の開始予定日時と、取得した払い出し工程の所要時間とに基づいて、払い出し工程のデッドラインを算出する。
【００６０】
手術ＩＤ２０１０２５８の手術の開始時間は、２０１０年２月９日の８時３０分である。医療器材のリプロセススケジュールを作成する医療施設の業務時間が、８時３０分から１８時までであると仮定すると、手術開始時間である２月９日の８時３０分から払い出し工程に要する２時間分、業務時間内で遡ると、２０１０年２月８日の１６時となる。よって、デッドライン算出部１０６は、医療器材ＩＤがａ１０５である器材Ａについて、払い出し工程のデッドラインを２０１０年２月８日の１６時と算出し、算出した値を、リプロセススケジュールテーブル１７０の払い出しデッドライン欄１８２に格納する。
【００６１】
医療器材ＩＤがａ１０５である器材Ａについては、スケジュール作成時のステータスがすでに「保管」となっており、払い出し以外の作業は必要ないので、この医療器材についてのデッドライン算出処理は以上で終了する。
【００６２】
続いて、デッドライン算出部１０６は、手術ＩＤ２０１０２５８の手術に割り当てられた医療器材ＩＤがａ１０６であるもう一つの器材Ａについても、同様の手順で、払い出し工程のデッドラインを２０１０年２月８日の１６時と算出する。そして、算出した値を、リプロセススケジュールテーブル１７０の払い出しデッドライン欄１８２に格納する。
医療器材ＩＤがａ１０６である器材Ａについては、スケジュール作成時のステータスがすでに「保管」となっており、払い出し以外の作業は必要ないので、この医療器材についてのデッドライン算出処理は以上で終了する。
【００６３】
次に、デッドライン算出部１０６は、手術ＩＤ２０１０２５８の手術に割り当てられた医療器材ＩＤがｂ１０２である器材Ｂについて、各リプロセス工程のデッドラインを算出する。
デッドライン算出部１０６はまず、工程別所要時間テーブル１５０の払い出し所要時間欄１６０を参照して、器材Ｂの最も後の工程である払い出しにかかる所要時間を取得する。そして、手術ＩＤ２０１０２５８の手術の開始予定日時と、取得した払い出し工程の所要時間とに基づいて、器材Ｂの払い出し工程のデッドラインを算出する。
【００６４】
器材Ｂの払い出し所要時間も、器材Ａと同じく２時間であり、手術の開始予定日時も同じであるので、デッドライン算出部１０６は、器材Ａの場合と同様の手順で、医療器材ＩＤがｂ１０２である器材Ｂの払い出し工程のデッドラインとして、２０１０年２月８日の１６時という値を算出する。そして、デッドライン算出部１０６は、算出した値をリプロセススケジュールテーブル１７０の払い出しデッドライン欄１８２に格納する。
【００６５】
次に、デッドライン算出部１０６は、手術ＩＤ２０１０２５８の手術に割り当てられた医療器材ＩＤがｂ１０２である器材Ｂについて、すでにデッドライン算出済みの払い出し工程よりもひとつ前の工程である滅菌工程のデッドラインを算出する。
デッドライン算出部１０６は、工程別所要時間テーブル１５０の滅菌所要時間欄１５８を参照して、器材Ｂの滅菌所要時間を取得する。そして、器材Ｂの現在着目している滅菌工程のひとつ後の工程である払い出し工程のデッドラインと、取得した器材Ｂの滅菌所要時間とに基づいて、滅菌工程のデッドラインを算出する。
器材Ｂの払い出し工程のデッドラインは、２０１０年２月８日の１６時であり、この時刻から、滅菌工程に要する３時間分、業務時間内で遡ると、２０１０年２月８日の１３時となる。よって、デッドライン算出部１０６は、医療器材ＩＤがｂ１０２である器材Ｂの滅菌工程のデッドラインとして、２０１０年２月８日の１３時という値を算出し、リプロセススケジュールテーブル１７０の滅菌デッドライン欄１８０に格納する。
【００６６】
続いて、デッドライン算出部１０６は、手術ＩＤ２０１０２５８の手術に割り当てられた医療器材ＩＤがｂ１０２である器材Ｂについて、すでにデッドラインが算出されている滅菌工程の一つ前の工程である組み立て工程のデッドラインを算出する。
デッドライン算出部１０６は、工程別所要時間テーブル１５０の組み立て所要時間欄１５６を参照して、器材Ｂの組み立て所要時間を取得する。そして、器材Ｂの現在着目している組み立て工程のひとつ後の工程である滅菌工程のデッドラインと、器材Ｂの組み立て所要時間とに基づいて、組み立て工程のデッドラインを算出する。
器材Ｂの滅菌工程のデッドラインは、２０１０年２月８日の１３時であり、この時刻から、組み立て工程に要する２時間分、業務時間内で遡ると、２０１０年２月８日の１１時となる。よって、デッドライン算出部１０６は、医療器材ＩＤがｂ１０２である器材Ｂの滅菌工程のデッドラインとして、２０１０年２月８日の１１時という値を算出し、リプロセススケジュールテーブル１７０の組み立てデッドライン欄１７８に格納する。
【００６７】
医療器材ＩＤがｂ１０２である器材Ｂについては、器材ステータステーブル１３０によると、スケジュール作成時のステータスが「洗浄」となっている。したがって、洗浄工程はすでに開始されているので、これで、手術ＩＤ２０１０２５８の手術に割り当てられた医療器材ＩＤがｂ１０２である器材Ｂについてのデッドライン算出処理が終了する。
【００６８】
デッドライン算出部１０６は、器材Ｃ、Ｄ、Ｅについても同様に、各工程のデッドラインを算出し、算出した値を、リプロセススケジュールテーブル１７０に格納する。
【００６９】
なお、図４の工程別所要時間テーブル１５０においては、各医療器材種と、洗浄所要時間、組み立て所要時間、滅菌所要時間、および、払い出し所要時間が関連づけられて格納されている。これに代えて、各医療器材と、各リプロセス工程の所要時間とが関連づけられて、格納されてもよい。
この場合、デッドライン算出部１０６は、各手術に割り当てられた医療器材ごとに、各リプロセス工程の所要時間を取得して、取得した医療器材ごとの各工程の所要時間に基づいて、デッドラインを算出する。
これにより、同じ種類の医療器材でも、各医療器材ごとにリプロセス所用時間が異なる場合にも、きめ細かく対応させて、より正確にデッドラインを算出することができる。
【００７０】
優先度判定部１１６は、手術に割り当てられた各器材について、リプロセス作業を進める上での優先度を判定する。優先度判定部１１６は、各リプロセス工程のデッドライン、現在時刻、各医療器材のステータス情報、前の手術後の回収予定日時などにもとづいて優先度を判定する。
【００７１】
例えば、前の手術が終了していないときには、優先度判定部１１６は、前の手術後の回収予定日時と、リプロセス工程の先頭の工程のデッドラインを比較することにより、優先度を判定する。そして、医療器材がリプロセス処理中であるときには、処理中のリプロセス工程の終了予定日時と、次のリプロセス工程の開始日時のデッドラインを比較して、優先度を判定する。
【００７２】
なお、優先度判定部１１６は、スケジュール作成時に、各医療器材について優先度を判定し、リプロセススケジュールテーブル１７０に格納するが、スケジュールが作成された後も、随時、その時点での各医療器材のステータスや手術の終了予定日時などの最新の情報を取得し、優先度を再判定してもよい。
例えば、事前に指定された所定時間が経過するたびに、優先度を再判定し、リプロセススケジュールテーブル１７０を更新してもよく、計画支援装置６０や作業支援装置４０から指示を受けたタイミングで、優先度を再判定して、リプロセススケジュールテーブル１７０を更新してもよい。
【００７３】
この場合、あるいは、直近に迫った手術のリプロセススケジュールを作成するような場合には、優先度判定部１１６は、さらに、現在時刻と、開始されていない各リプロセス工程のデッドラインを比較して、優先度を判定してもよい。
これにより、リアルタイムで現場の状況を反映させた優先度をリプロセス作業の管理者や、作業者に提示することができる。
【００７４】
以下、優先度判定部１１６の優先度判定処理について、具体的に説明する。
優先度判定部１１６は、前の手術がまだ終了していない場合には、前手術回収予定日時と、リプロセス工程の先頭に位置する工程のデッドライン（以下、「先頭工程デッドライン」ともいう）とを比較して、優先度を判定する。
【００７５】
優先度判定部１１６は、例えば、前手術回収予定日時が先頭工程デッドラインよりも後である場合など、間に合わない可能性がある場合の優先度を「緊急」と判定する。そして、先頭工程デッドラインが前手術回収予定日時から１時間以内である場合など、短時間の余裕しかない場合を「至急」と判定し、前手術回収予定日時から先頭工程デッドラインまでが１時間以上２４時間未満などの標準的な時間である場合を「通常」と判定する。また、前手術回収予定日時から先頭工程デッドラインまで２４時間以上であるなど、余裕がある場合には、「優先度なし」と判定する。
【００７６】
また、優先度判定部１１６は、その医療器材が、リプロセス工程のいずれかにおいて処理中であるときには、処理中のリプロセス工程の終了予定日時（以下、単に「前工程終了予定日時」ともいう）と、次のリプロセス工程のデッドライン（以下、「次工程デッドライン」ともいう）とを比較して、優先度を判定する。
処理中のリプロセス工程の終了予定日時は、例えば、図示しない器材ステータス管理部が、作業支援装置４０から取得した処理中のリプロセス工程が開始された日時と、工程別所要時間テーブル１５０から取得したそのリプロセス工程の所要時間の和を取ることにより、算出される。
【００７７】
優先度判定部１１６は、例えば、前工程終了予定日時が次工程デッドラインよりも後である場合など、間に合わない可能性がある場合の優先度を「緊急」と判定する。そして、次工程デッドラインが前工程終了予定日時から１時間以内など間近に迫っている場合を「至急」と判定し、前工程終了予定日時から次工程デッドラインまでが例えば１時間以上２４時間未満などの標準的な時間である場合を「通常」と判定する。また、前工程終了予定日時から次工程デッドラインまで２４時間以上であるなど、余裕がある場合には、「優先度なし」と判定する。
【００７８】
また、優先度判定部１１６は、例えば、現在時刻がデッドラインをすでに過ぎている場合など、間に合わない可能性がある場合の優先度を「緊急」と判定する。そして、デッドラインが現在時刻の例えば１時間以内など間近に迫っている場合を「至急」と判定し、現在時刻からデッドラインまでが例えば１時間以上２４時間未満などの標準的な時間である場合を「通常」と判定する。また、現在時刻からデッドラインまで２４時間以上であるなど、余裕がある場合には、「優先度なし」と判定する。
【００７９】
優先度が「緊急」である場合など、手術に医療器材を使用するための所定の時間的条件が充たされない場合、デッドライン算出部１０６は、より所要時間が短いリプロセス方法を採用して、再度デッドラインを算出してもよい。
【００８０】
例えば、蒸気によって高温高圧下で滅菌するオートクレーブ法を用いており、通常は、滅菌すべき医療器材の温度が１２１度に達した状態で３０分間保持する滅菌方法を採用している場合、緊急時には、滅菌温度を１３４度として６分間保持する方法に切り替えることとしてもよい。
なお、滅菌所要時間は、上記の滅菌温度保持時間に、予熱時間や乾燥時間なども加えた実際の滅菌工程にかかると予想される時間である。
この他にも、プラズマ滅菌法、紫外線滅菌法など、医療器材の種別に応じて、複数の滅菌方法による処理時間から選択した方法に切り替えることとしてもよい。
【００８１】
所定の時間的条件が充たされないとき、デッドライン算出部１０６が、より所要時間が短いリプロセス方法を採用して、デッドラインを再算出する構成とする場合、所要時間記憶部１１２は、各医療器材について、複数のリプロセス方法と、その方法による作業にかかる所要時間とを関連づけて格納する。
例えば、図４の工程別所要時間テーブル１５０が、通常用いられる滅菌方法による処理にかかる時間が記述される通常滅菌所要時間欄（図示せず）と、緊急時に用いられる時間を短縮した滅菌処理にかかる時間が記述される緊急滅菌所要時間欄（図示せず）とを、さらに備えてもよい。また、工程別所要時間テーブル１５０には、３種類以上の滅菌方法ついて、それぞれにかかる所要時間が格納されてもよい。また、工程別所要時間テーブル１５０には、滅菌以外のリプロセス工程について、複数の処理方法のそれぞれの所要時間が記述されてもよい。
【００８２】
デッドライン算出部１０６は、工程別所要時間テーブル１５０を参照し、より所要時間が短いリプロセス方法を採用し、再度デッドラインを算出する。
これにより、コストや手間、機器への負担などを考慮しつつ、作業の緊急度に応じてリプロセス処理方法を使いわけたスケジュールを自動で作成することが可能となる。
例えば、通常は、医療器材に負担をかけないように、滅菌温度１２１度で滅菌処理を行うが、緊急の場合には、コストおよび医療器材への負担をかけてでも滅菌温度１３４度で処理するなど、適宜、滅菌方法を使い分けることが可能となる。
【００８３】
優先度判定部１１６は、同じ「緊急」であっても、緊急度の度合いをさらに細かく分類してもよく、デッドライン算出部１０６は、緊急度の度合いに応じて、採用するリプロセス方法を選択し、採用したリプロセス方法の所要時間を用いて、再度デッドラインを算出してもよい。
再算出したデッドラインについても、優先度が「緊急」であるなど、所定の時間的条件が充たされない場合には、デッドライン算出部１０６は、代替するリプロセス方法が尽きるまで、デッドラインを算出し直す。
【００８４】
なお、ここでは、「手術に医療器材を使用するための所定の時間的条件が充たされないとき」として、優先度が「緊急」である場合を例にして説明したが、所定の時間的条件として、この他の条件が設定されてもよい。
例えば、優先度を判定する前の時点で、通常のリプロセス方法では、割り当てようとしている手術に間に合わないことが想定される場合には、デッドライン算出部１０６は、初めから、通常の方法に比べて時間を短縮できるリプロセス方法を採用して、デッドラインを算出することとしてもよい。
例えば、デッドライン算出部１０６は、前手術回収予定日時と手術の開始予定日時との間隔が、事前に指定された通常リプロセス可能時間よりも短いと判断した場合には、初めから、通常の方法よりも時間を短縮できるリプロセス方法を採用して、デッドラインを算出してもよい。
【００８５】
代替可能なすべてのリプロセス工程において、最短のリプロセス方法を採用してもなお、優先度が「緊急」であるなど、所定の時間的条件が充たされない場合には、デッドライン算出部１０６は、通信部１１４を介して、計画支援装置６０に、警告メッセージを送信してもよい。
計画支援装置６０は、受け取った警告メッセージを、警告表示や、警告音の形式で、リプロセス作業管理者に提示する。
【００８６】
なお、警告メッセージの送信についても、優先度が「緊急」である場合に限らず、優先度を算出する前の時点で、その医療器材が割り当てられた手術に間に合わないことが想定される場合には、デッドライン算出部１０６は、デッドラインを算出せずに、警告メッセージを送信することとしてもよい。
例えば、デッドライン算出部１０６が、前手術回収予定日時と手術の開始予定日時との間隔が事前に指定された最短リプロセス時間よりも短いと判断した場合には、デッドライン算出部１０６は、デッドラインを算出せずに、警告メッセージを送信してもよい。
【００８７】
警告メッセージを送信することにより、手術前に医療器材を準備できない可能性がある場合に、リプロセス作業管理者に早い段階で注意を促すことができるため、リプロセス作業管理者は時間的余裕をもって、適宜、代替品への切り替え、手術オーダ変更、といった対策を講じることができる。
【００８８】
手術ＩＤ２０１０２５８の手術に必要な医療器材種のリストすべてについて、医療器材が特定され、デッドラインが算出され、優先度が判定されると、手術ＩＤ２０１０２５８の手術に必要な医療器材についてのリプロセススケジュール作成処理は終了する。
【００８９】
この際、手術ＩＤ２０１０２５８の手術に割り当てられている医療器材については、手術終了後の回収予定時刻を記録して、再割り当て可能とする。
具体的には、図示しない器材管理部が、リプロセススケジュールテーブル１７０において、すでに手術ＩＤ２０１０２５８の手術に割り当てられている医療器材について、新たな行を作成し、その前手術回収予定日時欄１７５に、手術ＩＤ２０１０２５８の手術終了時間または回収予定時刻を記述する。
これにより、すでに手術ＩＤ２０１０２５８の手術に割り当てられている医療器材を、他の手術に、再度割り当てることが可能となる。
【００９０】
そして、手術ＩＤ２０１０２８２の手術についても同様の手順で、必要な各医療器材種について、器材特定部１０４が使用する医療器材を特定し、デッドライン算出部１０６がデッドラインを算出し、優先度判定部１１６が優先度を判定するなど、スケジュール作成処理が進められる。
【００９１】
このように、他の手術に割り当てられている医療器材について、次にスケジュール作成する手術についても繰り返し割り当て可能な構成とすることにより、複数の手術について、中・長期的な未来のリプロセス作業のスケジュールを、自動で効率よく作成することができる。
【００９２】
図１に戻る。作業量算出部１０８は、デッドライン算出部１０６が算出した各工程のデッドラインにもとづいて、リプロセス工程で必要となる作業量を算出する。
作業量算出処理は、例えば、計画支援装置６０から指示されたときや、事前に設定された作業量算出時刻になったときに行われる。
作業量算出部１０８は、例えば、各器材の処理が各工程のデッドラインの時刻に開始されると仮定して、時間帯ごとに、各工程で必要な作業量を積算する。作業量は、例えば、各工程において、時間帯ごとに、処理すべき医療器材の数量の形で表現されてもよい。また、処理すべき医療器材の数量を、単位時間あたりの作業員一人当たりの標準処理量で割って、作業時間数として表現されてもよい。
作業量算出部１０８は、算出した作業量を、通信部１１４を介して、計画支援装置６０や作業支援装置４０に受け渡す。
【００９３】
図６は、作業支援装置４０の構成を示す。
作業支援装置４０は、指示受付部４２、スケジュール照合部４４、提示データ生成部４６、作業マニュアル記憶部４８、および、通信部４９を備え、操作部５０、読み取り部５２、および、作業指針提示部５４に接続される。
操作部５０、読み取り部５２、および、作業指針提示部５４は、作業支援装置４０の一部として構成されてもよい。
【００９４】
指示受付部４２は、リプロセス作業者などのユーザが、操作部５０や読み取り部５２を介して入力した指示を受け付ける。
操作部５０は、ユーザが手入力や音声入力などによりスケジュール管理システム３０に対する指示を入力することができるように構成される。読み取り部５２は、光学的手段、電磁的手段などにより、医療器材に付された識別標識を読み取ることができるように構成される。
【００９５】
スケジュール照合部４４は、指示受付部４２からスケジュールを表示する旨の指示を受けると、通信部４９を介して、スケジュール管理システム３０に問い合わせ、最新のリプロセススケジュール情報を取得する。
例えば、手術で使用されたリユース可能医療器材が、洗浄室に運び込まれたときに、ユーザが読み取り部５２に、医療器材に付された識別標識を読み取らせたときに、指示受付部４２は、その医療器材のスケジュール表示指示として受け付けてもよい。そして、指示受付部４２は、読み取り部５２が読み取った識別情報をスケジュール照合部４４に通知し、スケジュール照合部４４は、スケジュール管理システム３０のスケジュール記憶部１１８から、識別標識が読み取られた医療器材のリプロセススケジュール情報を取得する。そして、提示データ生成部４６に、取得したリプロセススケジュール情報を受け渡し、ユーザに提示するためのデータの生成指示を通知する。
【００９６】
また、指示受付部４２は、ユーザが、操作部５０を介して、作業支援データを提示するよう指示した場合に、スケジュール照合部４４に、必要なリプロセススケジュール情報の取得を指示するとともに、提示データ生成部４６に対して、ユーザに提示するためのデータの生成指示を通知する。
【００９７】
作業マニュアル記憶部４８は、各リプロセス工程における作業マニュアルなど、各リプロセス工程における作業を支援するための支援情報を、各医療器材と対応づけて格納する。
提示データ生成部４６は、提示データ生成指示を受けた際、作業マニュアル記憶部４８から、提示データ生成指示がなされた医療器材についてのマニュアル等の支援情報を読み出す。そして、スケジュール照合部４４が取得したリプロセススケジュール情報と組み合わせて、リプロセス作業者を支援するために提示する画面データなどのデータを生成する。
【００９８】
複数の医療器材について、データ生成指示を受けた場合、提示データ生成部４６は、デッドラインが他の医療器材のデッドラインよりも早い医療器材についての提示データを、他の医療器材の提示データよりも先に生成し、先に作業指針提示部５４に表示させてもよい。この際、通常の場合よりも、目立つように、色を変えたり、点滅させたり、警告音を出したり、音量を大きくしたりして、強調した提示データを生成してもよい。
また、同一画面に複数の医療器材についての情報を提示する設定である場合には、デッドラインが他の医療器材のデッドラインよりも早い医療器材についての情報を、他の医療器材の情報よりも目立つように強調した提示データを生成してもよい。
【００９９】
作業指針提示部５４は、提示データ生成部４６が生成したユーザに提示すべき情報を
リプロセス作業者などのユーザに提示する。作業指針提示部５４は、例えば、表示装置、プリンタやスピーカ等の出力手段であり、これらの組み合わせで構成されてもよい。
【０１００】
なお、一の手術で使用する医療器材がセットとして、コンテナなどにまとめて入れられた状態でリプロセス作業室に運び込まれることもあり、その後のリプロセス工程においても、バスケットなどに入れられて、セット単位でリプロセス処理が行われることもある。
このような場合、各コンテナに識別情報が割り当てられ、コンテナに収納される複数の医療器材の識別情報と、コンテナの識別情報とが、関連づけられて器材ステータス記憶部１１９に記憶されていてもよい。
そして、読み取り部５２によってコンテナやバスケットなどに付された一の識別標識を読み取られた際に、指示受付部４２が、コンテナの識別情報に関連づけられた複数の医療器材のスケジュール表示指示として受け付けて、スケジュール照合部４４に通知してもよい。
【０１０１】
これにより、リプロセス作業者などのユーザが、複数の医療器材の識別標識のそれぞれを、読み取り部５２によって、読み取らせる手間を省くことができ、効率的にリプロセス作業を進めることができる。そして、読み取りはコンテナ単位であっても、リプロセススケジュールは、医療器材単位に取得されるため、コンテナ内に収納される医療器材のうち、緊急の処理を要する医療器材の情報が、作業指針提示部５４に提示させることができる。これにより、リプロセス作業者などのユーザが、迅速に、緊急の処理を要する医療器材についての情報を得ることができる。
【０１０２】
図７は、作業指針提示部５４が表示装置である場合に、リプロセス作業者などのユーザに提示する表示画面２００の例を示す。表示画面２００は、工程表示部２１０、医療器材表示部２１１、処理優先度表示部２１２、作業開始デッドライン表示部２１４、現在時刻表示部２１６、前工程情報表示部２１８、および、作業マニュアル表示部２２０を含む。
【０１０３】
工程表示部２１０には、現在着目するリプロセス工程（以下、「現リプロセス工程」ともいう）が表示される。現リプロセス工程は、例えば、作業支援装置４０が設置されている作業室で行われるリプロセス処理の工程に設定するなど、事前に、ユーザにより、設定可能な構成としてもよい。また、読み取り部５２で識別標識が読み取られた医療器材について、次に処理されるべきリプロセス工程が現リプロセス工程として設定されてもよい。
【０１０４】
処理優先度表示部２１２には、その医療器材について、現リプロセス工程の優先度が表示される。
作業開始デッドライン表示部２１４には、その医療器材の現リプロセス工程を開始する日時のデッドラインが表示される。
現在時刻表示部２１６には、現在の時刻が表示される。前工程情報表示部２１８には、その医療器材について、現リプロセス工程の一つ前の工程のステータスが表示される。
作業マニュアル表示部２２０には、その医療器材について、現リプロセス工程の作業マニュアルが表示される。
【０１０５】
図８は、リプロセススケジュール管理を支援する計画支援装置６０の構成を示す。計画支援装置６０は、指示受付部６２、スケジュール作成指示部６４、スケジュール照合部６６、作業量算出指示部６８、通信部７０、リソース情報記憶部７２、および、提示データ生成部７４を備え、指示入力部７６と、スケジュール提示部７８とに接続される。
指示入力部７６とスケジュール提示部７８は、計画支援装置６０の一部として構成されてもよい。
【０１０６】
指示受付部６２は、リプロセス作業管理者などのユーザが、指示入力部７６を介して入力した、スケジュール作成指示、スケジュール表示指示、作業量表示指示などの指示を受け付け、スケジュール作成指示部６４、スケジュール照合部６６、または、作業量算出指示部６８に受け渡す。
指示入力部７６は、ユーザが、手入力や音声入力などによりスケジュール管理システム３０に対する指示を入力可能であるように構成される。指示入力部７６は、光学的手段、電磁的手段などにより、医療器材に付された識別標識を読み取る読み取り部（図示せず）を備えてもよい。
【０１０７】
スケジュール作成指示部６４は、指示受付部６２から、スケジュール作成指示を受けると、通信部７０を介して、スケジュール管理システム３０にスケジュール作成指示を送り、スケジュール管理システム３０が作成したリプロセススケジュール情報を取得する。
スケジュール照合部６６は、指示受付部６２からスケジュール表示指示を受けると、通信部７０を介して、スケジュール管理システム３０に問い合わせ、各器材についての最新のリプロセススケジュール情報を取得する。
作業量算出指示部６８は、指示受付部６２から作業量算出指示を受けると、通信部７０を介して、スケジュール管理システム３０に指示を送り、算出された作業量情報を取得する。
【０１０８】
スケジュール作成指示部６４、スケジュール照合部６６、および、作業量算出指示部６８は、スケジュール管理システム３０から取得したリプロセススケジュール情報や作業量情報を、提示データ生成部７４に受け渡す。
【０１０９】
リソース情報記憶部７２は、作業スタッフや、リプロセス作業に用いる装置などの、リプロセス作業に必要なリソースに関するリソース情報を記憶する。リソース情報記憶部７２は、リプロセス作業者の配置予定情報を記憶してもよい。
提示データ生成部７４は、スケジュール照合部６６が取得したリプロセススケジュール情報、作業量算出指示部６８が取得した作業量情報、または、リソース情報記憶部７２が記憶するリソース情報、あるいはこれらの組み合わせを用いて、画面データなどの提示データを生成する。提示データ生成部７４が生成するデータには、例えば、各医療器材の各リプロセス工程におけるデッドライン情報や、リプロセス工程で必要となる積算作業量が含まれる。
これにより、リプロセス作業管理者などのユーザが、容易に医療器材のリプロセススケジュールを把握し、また、作業人員の配置スケジュールを組むことができる。
【０１１０】
提示データ生成部７４は、リプロセススケジュールが取得された医療器材のうち、デッドラインが他の医療器材のデッドラインよりも早い医療器材についてのリプロセススケジュール情報を、他の医療器材の情報よりも、目立つような構成で、提示データを生成してもよい。例えば、通常の提示方法よりも目立つように、色を変えたり、点滅させたり、警告音を出したり、音量を大きくしたりして、強調した提示データを生成してもよい。
これにより、リプロセス管理担当者などのユーザに、緊急の処理を要する医療器材についての情報を確実に提示することができる。
【０１１１】
スケジュール提示部７８は、提示データ生成部７４が生成した提示データを、リプロセス作業管理者などのユーザに提示する。スケジュール提示部７８は、例えば、表示装置、プリンタやスピーカ等の出力手段であり、これらの組み合わせで構成されてもよい。
【０１１２】
図１、図６、および、図８に示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【０１１３】
図９は、図１のスケジュール管理システム３０がリプロセススケジュールを作成する処
理の手順を示すフローチャートである。
まず、計画支援装置６０の指示入力部７６を介して、リプロセス作業管理者などのユーザが、対象期間を指定して、その期間内に予定されている手術に用いられる医療器材のリプロセススケジュール作成処理を指示する。計画支援装置６０の指示受付部６２は指示を受け付け（Ｓ１０）、スケジュール作成指示部６４や作業量算出指示部６８を介して、スケジュール生成装置１００にスケジュール作成指示および、作業量算出指示を送信する。
【０１１４】
器材リスト取得部１０２は、手術情報記憶部２２から、対象期間内に予定されている手術予定日時や、その手術で用いられる医療器材種のリスト含む手術情報を取得する（Ｓ１２）。
以下、対象期間内に予定されているすべての手術について、ステップＳ１４からステップＳ２６の手術用器材割り当て処理が繰り返される。また、各手術に使用されるすべての医療器材について、ステップＳ１６からステップＳ２４の器材スケジュール作成処理が繰り返される。
【０１１５】
まず、器材特定部１０４が、医療器材の現在のステータスや、割り当てられている手術の情報に基づいて、各医療器材種について使用可能となる時刻が、最も早いと予想される医療器材を特定する（Ｓ１８）。
次に、デッドライン算出部１０６は、特定された医療器材について、各リプロセス工程を開始すべきデッドラインを算出する（Ｓ２０）。そして、優先度判定部１１６が、特定された医療器材について、リプロセス処理の優先度を判定する（Ｓ２２）。
【０１１６】
前述のように、各手術に使用されるすべての医療器材について、ステップＳ１６からステップＳ２４の器材スケジュール作成処理が繰り返され、対象期間内に予定されているすべての手術について、ステップＳ１４からステップＳ２６の手術用器材割り当て処理が繰り返される。これにより、指定されたすべての手術について、使用する医療器材を割り当て、割り当てられた医療器材についてのリプロセススケジュールを作成することができる。
【０１１７】
作業量算出部１０８は、各リプロセス工程について、時間帯ごとのリプロセス作業量を算出する（Ｓ２８）。そして、計画支援装置６０の提示データ生成部７４が、提示する画面データを作成し、スケジュール提示部７８が、リプロセス作業管理者などのユーザに、リプロセススケジュール情報を提示し（Ｓ３０）、リプロセススケジュール作成処理は終了する。
【０１１８】
以上の構成による本システムの動作は、例えば、以下のとおりである。
まず、リプロセス作業管理者が、計画支援装置６０において、翌日の手術についてのリプロセススケジュール作成し、各リプロセス工程についての作業量を算出するよう指示する。スケジュール生成装置１００は、図９の手続きを経て、翌日行われるすべての手術について、使用する医療器材を割り当て、割り当てたの医療器材についての各リプロセス工程のデッドラインを算出する。また、リプロセス作業に必要な作業量も、時間帯ごとに算出し、これらをリプロセス作業管理者に提示する。リプロセス作業管理者は、作成されたスケジュールをチェックして、変更すべき点があれば、再度、条件を変えてスケジュール作成を指示し、問題がなければ、そのスケジュールを採用することを決定する。
したがって、リプロセス作業管理者自らが、手間のかかるスケジュール作成をする必要がない。
【０１１９】
リプロセス作業の当日、手術で使用されたリユース可能医療器材が、リプロセス工程の最初の工程である回収、分解、洗浄等が行われる洗浄室に運び込まれると、リプロセス作業者が、医療器材に付された識別標識を順次、読み取り部５２に読み取らせる。そうすると、作業支援装置４０は、スケジュール生成装置１００に問い合わせ、運び込まれた医療器材のうち、優先的にリプロセス作業を進める器材についての作業デッドライン、および、その器材のリプロセス処理マニュアルが、リプロセス作業者に提示される。
したがって、大量の医療器材が一気に運び込まれたような場合であっても、リプロセス作業者は、優先順位の高い医療器材から、効率よく、リプロセス処理を進めることができる。
【０１２０】
以上、本発明を実施形態にもとづいて説明した。本発明は上述の実施形態に限定されるものではなく、実施形態の各要素を適宜組み合わせたものも、本発明の実施形態として有効である。また、当業者の知識に基づいて各種の設計変更等の変形を実施形態に対して加えることも可能であり、そのような変形が加えられた実施形態も本発明の範囲に含まれうる。
【０１２１】
例えば、実施形態においては、器材リスト取得部１０２は、手術情報記憶部２２に格納された各手術に必要な器材種のリストを取得することとしたが、これに代えて、器材リスト取得部１０２が、器材リストを作成する構成としてもよい。この場合、器材リスト取得部１０２は、手術予定記憶部（図示せず）から、手術識別番号、手術の術式を含む手術情報を取得し、術式器材対応記憶部（図示せず）から、取得した術式情報に基づいて、その手術で使用する予定の器材種を取得する。そして、各手術に必要な器材種のリストを作成する。
【０１２２】
また、実施形態においては、各医療器材種と、その医療器材種のリプロセスの各工程の作業にかかる所要時間（本明細書において、「リードタイム」ともいう）は、所要時間記憶部１１２に記憶される工程別所要時間テーブル１５０に、各医療器材種ごとに記述されることとした。すなわち、実施形態においては、各医療器材種ごとに、リードタイムを設定する例を示したが、リードタイムは、術式ごとに用いる医療器材のセットに対して、それぞれ設定されてもよい。さらに、同種の手術であっても、執刀医によっては異なる医療器材を用いることもあるため、執刀医ごとに異なるリードタイムを設定可能としてもよい。さらに、リプロセス作業者の熟練度によってもリードタイムが異なるため、リプロセス作業者ごとに異なるリードタイムを設定可能としてもよい。
【０１２３】
このように、細かい条件まで指定してリードタイムを設定したいケースもある一方で、すべての組み合わせについてリードタイムを細かく設定することとすると、データベースの作成や管理に必要以上の手間がかかってしまう。
このような課題を解決するために、どこまで細かく場合分けしてリードタイムを設定するのか、すなわちリードタイム設定条件の粒度を、多段階に設定可能な構成としてもよい。
【０１２４】
図１０は、術式、執刀医、リプロセス作業者の三つの項目により、細かくリードタイムを設定するための作業者毎リードタイムテーブル３００の例を示す図である。
作業者毎リードタイムテーブル３００は、所要時間記憶部１１２に格納される。作業者毎リードタイムテーブル３００は、工程欄３０２、術式欄３０４、執刀医欄３０６、作業者スキル欄３０８、および、リードタイム欄３１０を備える。
作業者毎リードタイムテーブル３００においては、工程欄３０２に記述されるリプロセス工程において、執刀医欄３０６に記述された執刀医が執刀する術式欄３０４に記述された術式の手術に用いらる医療器材についてのリプロセス作業を、作業者スキル欄３０８に記述された熟練度レベルのリプロセス作業者が担当した場合に、その作業に要すると予想されるリードタイムが、リードタイム欄３１０に記述される。
【０１２５】
例えば、作業者毎リードタイムテーブル３００の１行目においては、執刀医「医師Ｂ」が執刀した術式「腹腔鏡下胃切除術」の手術に用いられた医療器材を、「スキルＡ」レベルの熟練度を有するリプロセス作業者が「回収」するために要する時間は、２０分と設定されている。
【０１２６】
図１１（ａ）は、作業者毎リードタイムテーブル３００よりも、粗い粒度でリードタイムを設定する場合の、執刀医毎リードタイムテーブル３２０を示す図である。
例えば、執刀医毎リードタイムテーブル３２０の１行目においては、執刀医「医師Ｂ」が執刀した術式「腹腔鏡下胃切除術」の手術に用いられた医療器材を、「回収」するために要する時間は、２５分と設定されている。
【０１２７】
図１１（ｂ）は、執刀医毎リードタイムテーブル３２０よりも、さらに粗い粒度でリードタイムを設定する場合の、術式毎リードタイムテーブル３３０を示す図である。
例えば、術式毎リードタイムテーブル３３０の１行目においては、術式「腹腔鏡下胃切除術」の手術に用いられた医療器材を、「回収」するために要する時間は、２８分と設定されている。
【０１２８】
図１１（ｃ）は、術式毎リードタイムテーブル３３０よりも、さらに粗い粒度でリードタイムを設定する場合の、工程毎リードタイムテーブル３４０を示す図である。
例えば、工程毎リードタイムテーブル３４０の１行目においては、手術に用いられた医療器材を、「回収」するために要する時間は、３０分と設定されている。
執刀医毎リードタイムテーブル３２０、術式毎リードタイムテーブル３３０、および、工程毎リードタイムテーブル３４０もまた、所要時間記憶部１１２に格納される。
【０１２９】
このように、ユーザは、リードタイムのデータベースを作成する際に、細かく場合分けして設定したい場合については細かい粒度でリードタイムを設定することができ、おおまかな設定でかまわない場合や、細かい粒度で設定するための十分なデータがない場合には、粗い粒度でリードタイムを設定することができる。
【０１３０】
図１２は、ある条件が与えられたときに、その条件下でのリードタイム値を取得するために、スケジュール生成装置１００のリードタイム取得部（図示せず）が、図１０および図１１（ａ）〜図１１（ｃ）に示したテーブルを検索する際の命令を作成するためのリードタイム検索命令作成テーブル３５０の例を示す図である。
リードタイム検索命令作成テーブル３５０は、テーブル名欄３５２、判定順序欄３５４、条件項目数欄３５６、および、条件欄３５８を備える。
【０１３１】
条件欄３５８の条件１−２欄、条件２−２欄、条件３−２欄、および条件４−２欄にに記述されるリードタイムを取得する際の条件は、器材リスト取得部１０２やリードタイム判定条件取得部（図示せず）が、手術情報記憶部２２、スケジュール記憶部１１８、計画支援装置６０等から取得する。
図１２においては、医師Ａが執刀する「腹腔鏡下胃切除術」用の医療器材のリプロセス処理の「組み立て」工程を、熟練度レベルが「スキルＡ」の作業者が担当するという条件の下で、リードタイム取得部がリードタイムを取得するための命令を作成する例を示している。
【０１３２】
リードタイム検索命令作成テーブル３５０のテーブル名欄３５２には、検索対象であるテーブル名が記述される。判定順序欄３５４には、各テーブルを検索する順序である判定順序が記述される。図１２の判定順序欄３５４に記述されるように、リードタイム取得部は、最小粒度のテーブルから粒度の細かい順に、リードタイムを取得できるまで、各テーブルを検索する。
条件項目数欄３５６には、ＳＱＬ文などの命令を作成する際に用いられる条件の範囲が規定される。例えば、リードタイム検索命令作成テーブル３５０の１行目の「作業者毎リードタイムテーブル」の場合、条件項目数は「４」であるので、条件欄３５８の条件１から４までの全ての条件が用いられる。また、３行目の「術式毎リードタイムテーブル」の条件項目数は「２」であるので、条件欄３５８の条件のうち、条件１と２とが、用いられる。
【０１３３】
リードタイム取得部は、リードタイム検索命令作成テーブル３５０にもとづいて、まずは、判定順序が「１」の細かい粒度にて、作業者毎リードタイムテーブル３００を検索すべく、以下のようなＳＱＬ文を作成する。
ｓｅｌｅｃｔ  リードタイム  ｆｒｏｍ  作業者毎リードタイムテーブル
ｗｈｅｒｅ  工程＝’組立’
ａｎｄ  術式＝’腹腔鏡下胃切除術’
ａｎｄ  執刀医＝’医師Ａ’
ａｎｄ  作業者スキル＝’スキルＡ’
【０１３４】
上記の命令で、作業者毎リードタイムテーブル３００においてリードタイムが検索できた場合には、リードタイム取得部は、作業者毎リードタイムテーブル３００からリードタイムを取得し、デッドライン算出部１０６等に受け渡す。
【０１３５】
仮に、検索できなかった場合には、リードタイム取得部は、リードタイム検索命令作成テーブル３５０にもとづいて、執刀医毎リードタイムテーブル３２０を検索すべく、以下のようなＳＱＬ文を作成する。
ｓｅｌｅｃｔ  リードタイム  ｆｒｏｍ  執刀医毎リードタイムテーブル
ｗｈｅｒｅ  工程＝’組立’
ａｎｄ  術式＝’腹腔鏡下胃切除術’
ａｎｄ  執刀医＝’医師Ａ’
上記の命令で、執刀医毎リードタイムテーブル３２０においてリードタイムが検索できた場合には、リードタイム取得部は、そのリードタイムを取得し、デッドライン算出部１０６等に受け渡す。
【０１３６】
仮に、検索できなかった場合には、リードタイム取得部は、リードタイム検索命令作成テーブル３５０にもとづいて、術式毎リードタイムテーブル３３０を検索すべく、以下のようなＳＱＬ文を作成する。
ｓｅｌｅｃｔ  リードタイム  ｆｒｏｍ  術式毎リードタイムテーブル
ｗｈｅｒｅ  工程＝’組立’
ａｎｄ  術式＝’腹腔鏡下胃切除術’
上記の命令で、術式毎リードタイムテーブル３３０においてリードタイムが検索できた場合には、リードタイム取得部は、そのリードタイムを取得し、デッドライン算出部１０６等に受け渡す。
【０１３７】
仮に、検索できなかった場合には、リードタイム取得部は、リードタイム検索命令作成テーブル３５０にもとづいて、工程毎リードタイムテーブル３４０を検索すべく、以下のようなＳＱＬ文を作成する。
ｓｅｌｅｃｔ  リードタイム  ｆｒｏｍ  工程毎リードタイムテーブル
ｗｈｅｒｅ  工程＝’組立’
上記の命令で、術式毎リードタイムテーブル３３０においてリードタイムが検索できた場合には、リードタイム取得部は、そのリードタイムを取得し、デッドライン算出部１０６等に受け渡す。
【０１３８】
このように、複数の粒度が混在可能な形式でリードタイムを格納する構成とすることで、個別の状況に合わせて、所望の粒度でリードタイムを設定することができる。例えば、特殊な医療器材を使用する術式や、特殊な医療器材を使用する執刀医、あるいは、スキルが極端に低い新人の作業者など、特定の場合のみ、より現状を反映させた細かい粒度でリードタイムを設定することができる。また、それ以外の場合には、大きな粒度でリードタイムを設定できるため、データベースの作成や管理を効率よく行うことができる。
さらに、リードタイム検索命令作成テーブル３５０で、異なる粒度のデータベースからリードタイムを取得するための命令を作成することが出来るので、ソースコードを修正することなく、リードタイム取得粒度を容易に変更することができる。
【０１３９】
また、実施形態においては、各手術オーダに対して、実際に使用する医療器材を割り当て、各器材についてデッドラインを算出する段階までのリプロセススケジュール作成について説明したが、スケジュール生成装置１００は、各リプロセス作業について、さらに詳細なリプロセススケジュールを決定し、ユーザに提示してもよい。
【０１４０】
例えば、スケジュール生成装置１００は、各医療器材について、次回使用予定から算出されるデッドラインのみでなく、前の手術の終了時刻から処理開始可能時刻を算出してもよい。また、複数の手術に用いられた医療器材が一度にリプロセス作業室に持ち込まれるような場合に、どの手術に用いられた医療器材からリプロセス作業を開始するのか、その順序を決定してもよく、各リプロセス処理の実際の開始時刻を決定してもよい。また、各リプロセス工程に対して、作業者やリプロセス機器を割り当ててもよい。
計画支援装置６０は、スケジュール生成装置１００が生成した詳細なリプロセススケジュールを、わかりやすい形態でユーザに提示してもよく、ユーザがスケジュールの変更や微調整、割り当てなどを容易に行えるインタフェイスを提供してもよい。
以下に、これらの具体例について、説明する。
【０１４１】
図１３は、リプロセススケジュールをわかりやすい形態でユーザに提示し、ユーザによるスケジュールの変更や微調整などを可能とするインタフェイスを提供するスケジュール表示画面４００の例を示す図である。
スケジュール表示画面４００は、各作業者を縦軸に、時間を横軸にとり、リプロセス機器の稼働予定を表す図形である機械稼働ピース４０２ａ〜４０２ｅ（以下、総称して、「機械稼働ピース４０２」ともいう）と、各リプロセス作業の単位を表す図形である作業ピース４０４ａ〜ｈ（以下、総称して、「作業ピース４０４」ともいう）を配置して構成される。
【０１４２】
各機械稼働ピース４０２および作業ピース４０４（以下、総称して、単に「ピース」ともいう）の時間軸方向の長さは、リプロセス作業時間や機械稼働時間を表すように定められ、各ピースが配置される位置は、リプロセス工程の開始時刻や終了時刻、あるいは、機械稼働開始時刻や稼働終了時刻を表すように定められる。
このような表示態様により、ユーザは、各工程の作業に要するリードタイム、作業者の空き状況、洗浄機や滅菌機などの稼働情報などの兼ね合いを直感的に把握することができ、
容易にスケジュールを作成したり、変更することができる。よって、効率のよいスケジュール管理が実現できる。
【０１４３】
図１４は、スケジュール生成装置１００のピース作成部（図示せず）が、各ピースの長さや位置を決定し、作業ピースを画面に表示するためのデータを作成する手順を示すフローチャートである。
この処理は、例えば、リプロセス作業当日の朝に、ユーザが計画支援装置６０を介して入力したスケジュール提示指示を受けて、実行される。
【０１４４】
まず、器材リスト取得部１０２は、手術情報記憶部２２から、ユーザによって指定されたスケジュール作成対象期間内に実施され、または実施することが予定されている手術の開始日時、終了日時や、その手術で用いられる医療器材種のリスト等を含む手術情報を取得する（Ｓ４０）。
以下、対象期間内に実施され、または実施することが予定されているすべての手術について、手術後のリプロセス作業を画面上に作業ピースとして提示するためのデータを生成する処理（「作業ピース作成処理」ともいう）が繰り返される（ステップＳ４２からステップＳ５８）。
【０１４５】
器材リスト取得部１０２は、前日のリプロセス作業実績を取得して（Ｓ４４）、ピース作成部に受け渡す。ピース作成部は、前日のリプロセス実績にもとづいて作業済みのリプロセス工程については除外し、各手術オーダについて、その手術で使用した後の医療器材のリプロセス工程のうち、スケジュール作成対象となるリプロセス工程のリストを作成する（Ｓ４６）。そして、それぞれのリプロセス工程について作業ピースを表示するためのデータ構造（以下、「作業ピースの枠」ともいう）を定義する（Ｓ４８）。
【０１４６】
ピース作成部は、手術の終了時刻を器材リスト取得部１０２から取得する（Ｓ５０）。そして、例えば「回収」工程などの手術後に実施される最初のリプロセス工程から順次、各リプロセス工程の開始可能時刻と、所要時間記憶部１１２から読み出したリードタイムとを、各リプロセス工程の作業ピースを表示するためのデータ要素として設定し、スケジュール記憶部１１８に格納する。
【０１４７】
デッドライン算出部１０６は、各医療器材が次に使用される予定の手術の情報をリプロセススケジュールテーブル１７０から取得し、その手術の開始予定時刻を器材リスト取得部１０２または手術情報記憶部２２から取得する（Ｓ５４）。そして、デッドライン算出部１０６は、図４および図５に関して前述した手順と同様の手順で、各リプロセス工程のデッドラインを算出し、各リプロセス工程の作業ピースを表示するためのデータの要素として設定し、スケジュール記憶部１１８に格納する（Ｓ５６）。
【０１４８】
ピース作成部はまた、図示しない病棟作業マスタデータベースから、そのリプロセス作業に使用するリプロセス機器やそのリプロセス作業を担当できる作業担当者候補などのデータを取得し、スケジュール記憶部１１８に格納する（Ｓ６０）。
そして、ピース作成部は、作業ピースを実際に表示するためのデータを作成し、スケジュール記憶部１１８に格納する（Ｓ６２）。具体的には、各リプロセス作業のリードタイムにもとづいて、各作業ピースの時間軸方向の長さを決定し、各リプロセス作業の、開始可能時刻、所要時間、および、デッドライン等にもとづいて、各ピースの配置可能範囲を決定する。
【０１４９】
続いて、ピース作成部は、機械マスタ記憶部（図示せず）から、洗浄装置や、滅菌装置などの、リプロセス工程において使用される機械の稼働開始時間、稼働終了などの情報を取得する。そして、ピースを実際に表示するためのデータを作成する。例えば、各機械の稼働時間を反映させて、各機械稼働ピースの時間軸方向の長さを決定し、各機械の稼働開始時間、終了時間を反映させて、各機械稼働ピースを表示させる位置を決定する。
【０１５０】
ピース作成部は、さらに、例えば、ガーゼをたたむ作業など、手術予定とは直接関連しない業務についての、業務ピースを作成してもよい。
この場合、ピース作成部は、業務マスタ記憶部（図示せず）から、必要な業務の所用時間などの情報を取得する。そして、各業務の所要時間を反映させて、各業務ピースの時間軸方向の長さを決定するなど、業務ピースを実際に表示するためのデータを作成する。
【０１５１】
このようにして作成されたピースが、図１３に示す各作業者を縦軸に、時間を横軸にとった二次元面上において、ユーザの操作に従って移動可能に表示される。
ユーザは、ピースを操作することにより、実際の作業順序を決定したり、各リプロセス処理の開始時刻を決定したり、また、各リプロセス工程に対して作業者やリプロセス機器を割り当てることができる。
【０１５２】
例えば、ユーザが計画支援装置６０の指示入力部７６を介して、ある作業ピースを移動させることを指示すると、指示受付部６２が受け付けたスケジュール作成指示を、スケジュール作成指示部６４が通信部７０を介してスケジュール生成装置１００に送信する。スケジュール生成装置１００の割当判定部（図示せず）は、ユーザの指示したピースの移動先が、ピース作成部が決定したピース配置可能範囲内であるか否か判定する。
【０１５３】
割当判定部はまた、滅菌工程や、洗浄工程など、リプロセス作業に機械を用いる工程においては、ユーザが移動させた作業ピース４０４の異動先が、該当する機械稼働ピース４０２上であるか、判定する。
【０１５４】
これらの割当条件を充たす場合には、割当処理部は、ユーザの指示にしたがって、スケジュール割り当て処理を行う。充たさない場合には、警告メッセージを表示させてもよい。
また、割り当て条件を充たさない場合には、ユーザが指示入力部７６等を介してピースを移動させようと試みても、画面上で、ユーザの操作が反映されないような構成としてもよい。
【０１５５】
例えば、ユーザは、図１３の組み立て作業を示す作業ピース４０４ｅを時間軸方向に移動させることにより、組み立て作業開始時間を変更することができる。
この組み立て作業は、８時３５分から９時２５分に予定されており、組み立て開始デッドラインは、９時３５分であるとする。この場合、ユーザは、組み立て開始時間が９時３５分までの範囲内であれば、矢印４０６に示すように、画面上で作業ピース４０４ｅをスライドさせるような操作を行うことで、組み立て作業時間を、遅らせることができる。
【０１５６】
割当判定部はまた、機械の積載状況が、あらかじめ定められた許容量以上であるか否か判定し、許容量以上である場合には、警告表示等を行ってもよい。
【０１５７】
このように、ピースをユーザの操作に従って画面上で移動させることで、ユーザは、簡易な操作で、実際の作業順序を決定したり、各リプロセス処理の開始時刻を決定したり、各リプロセス工程に対して作業者やリプロセス機器を割り当てる等、詳細なリプロセススケジュールを作成することができる。
ユーザはまた、機械の稼働スケジュールと、その機械を用いたリプロセス作業のスケジュールを容易に把握することができ、また、それぞれの機械で処理することが予定されている医療器材の量である積載状況も、直感的に把握することができる。
【０１５８】
また、割当処理部は、複数の機械稼働ピースや作業ピースの配置を自動で決定してもよい。すなわち、割り当て処理部が、各リプロセス作業間の順序を決定し、各リプロセス処理の開始時刻を決定してもよく、各リプロセス作業を行う作業者やリプロセス機器を決定してもよい。
【０１５９】
図１５は、スケジュール生成装置１００の割当処理部が、各機械稼働ピースに対して、リプロセス作業者を割り当てる処理の手順を説明するためのフローチャートである。
まず、割当処理部は、ピース作成部が作成した機械稼働ピースのうち、稼働時間が、ユーザ等によって指定されたスケジュール作成対象期間内に含まれる機械稼働ピース４０２のデータを取得する（Ｓ７０）。そして、割当処理部は、後述する作業者優先順位テーブル、および、後述する作業者勤務情報テーブルから、機械稼働時間に勤務予定である作業者のうち、業務割り当て優先度の高い作業者を検索し（Ｓ７４）、優先度の高い作業者に、機械稼働ピースを割り当てる（Ｓ７６）。
割当処理部は、取得した機械稼働ピース４０２のそれぞれについて、ステップＳ７２からステップＳ７８の作業者割り当て処理を繰り返す。
【０１６０】
図１６は、スケジュール生成装置１００の割当処理部が、各作業ピースに対して、作業開始時刻や終了時刻を決定し、リプロセス作業者を割り当てる処理の手順を説明するためのフローチャートである。
まず、割当処理部は、ピース作成部が作成した作業ピースのうち、処理開始可能時刻またはデッドラインが、ユーザ等によって指定されたスケジュール作成対象期間内に含まれる作業ピース４０４のデータを取得する（Ｓ１１０）
【０１６１】
そして、その作業ピースの示すリプロセス工程が洗浄または滅菌工程などの、リプロセス機器を使用する工程である場合（Ｓ１１４のＹ）、割当処理部は、機械稼働ピースを検索する（Ｓ１１６）。具体的には、各機械稼働ピース４０２の作業開始時刻以降の積載状況を参照し、その作業ピースを割当可能である機械稼働ピースを検索する。そして、割当可能な機械稼働ピースに、作業ピースを割り当てる（Ｓ１２０）。
【０１６２】
また、作業ピースの示すリプロセス工程が洗浄または滅菌工程以外の工程である場合（Ｓ１１４のＮ）、割当処理部は、作業者を検索する（Ｓ１１８）。具体的には、後述する作業者優先順位テーブル、および、後述する作業者勤務情報テーブルから、スケジュール作成対象期間内に勤務予定である作業者のうち、業務割り当て優先度の高い作業者を検索する（Ｓ１１８）。そして、優先度の高い作業者に、作業ピースを割り当てる（Ｓ１２０）。
【０１６３】
なお、この際、図１０から図１２に関して前述したように、作業者毎に、そのスキルを反映したより正確なリードタイムが記録されている場合には、そのリードタイムを読み出して、作業ピースのリードタイムを修正してもよい。また、各作業者の、工程別の過去の作業実績時間を作業者実績記憶部（図示せず）から読み出し、作業者毎に、作業ピースのリードタイムを補正してもよい。
【０１６４】
そして、割当処理部は、割り当てた作業ピースと同じ医療器材の次のリプロセス工程の作業ピースに対して、作業開始可能日時を設定する（Ｓ１２２）。
割当処理部は、取得した作業ピース４０４のそれぞれについて、ステップＳ１１２からステップＳ１２４の割り当て処理を繰り返す。
【０１６５】
これにより、ユーザは、簡易にスケジュールを作成することができ、また、作成後のスケジュールを一目で把握し、変更、修正することができるため、作業者の業務量を平準化しつつ、効率よくスケジュールを管理することができる。
【０１６６】
次に、図１７〜図１９を用いて、スケジュール生成装置１００の割当処理部が、各リプロセス機器や各リプロセス作業に対して作業担当者を割り当てる際に、割り当て優先度の高い作業者を検索して割り当てる処理について説明する。
【０１６７】
図１７は、スケジュール生成装置１００の作業者情報記憶部（図示せず）に格納される作業者優先順位テーブル５００を示す。作業者優先順位テーブル５００は、リプロセス作業の工程が記述されるリプロセス工程欄５０２、リプロセス作業を担当するリプロセス作業者名が記述されるリプロセス作業者欄５０４、および、そのリプロセス工程におけるその作業者の優先順位が記述される優先順位欄５０６を備える。
優先順位は、ユーザによりあらかじめ設定されてもよく、また、作業実績の記録などに応じて、図示しない作業者優先度算出部によって算出され、作業者優先順位テーブル５００に格納されてもよい。
【０１６８】
図１８は、スケジュール生成装置１００の作業者情報記憶部に格納される作業者勤務情報テーブル５１０を示す。
作業者勤務情報テーブル５１０は、各リプロセス作業者の名前が記述されるリプロセス作業者欄５１２、その作業者の勤務日が記述される勤務日欄５１４、および、各勤務日の連続する勤務時間（以下、「勤務単位」ともいう）の勤務開始時刻と、勤務終了時刻とがそれぞれ記述される勤務開始時刻欄５１６と、勤務終了時刻欄５１８とを備える。
【０１６９】
スケジュール生成装置１００の割当処理部は、作業者勤務情報テーブル５１０から、ユーザにより指定された作業者割り当て対象期間内のリプロセス作業者の勤務予定を取得する。割当処理部はさらに、作業者優先順位テーブル５００から、それぞれの作業者について工程ごとに優先順位を取得し、作業者割当テーブル５２０を生成する。
【０１７０】
図１９は、割当処理部が生成し、スケジュール生成装置１００の作業者情報記憶部に格納する作業者割当テーブル５２０を示す。
作業者割当テーブル５２０は、リプロセス作業者欄５２２、勤務日欄５２４、勤務開始時刻欄５２６、勤務終了時刻欄５２８、回収工程優先順位欄５３０、洗浄工程優先順位欄５３２、組立工程優先順位欄５３４、滅菌工程優先順位欄５３６、および、保管／払出工程優先順位欄５３８を含む。
【０１７１】
作業者割当テーブル５２０においては、各リプロセス作業者の名前がリプロセス作業者欄５２２に、その作業者の勤務日が勤務日欄５２４に、各勤務単位の、勤務開始時刻と勤務終了時刻とが、それぞれ勤務開始時刻欄５２６と勤務終了時刻欄５２８に記述される。
そして、回収工程優先順位欄５３０、洗浄工程優先順位欄５３２、組立工程優先順位欄５３４、滅菌工程優先順位欄５３６、および、保管／払出工程優先順位欄５３８に、それぞれの工程におけるそのリプロセス作業者の優先順位が記述される。
【０１７２】
スケジュール生成装置１００の割当処理部は、作業者を割り当てるべきリプロセス工程の時間帯にもとづいて作業者割当テーブル５２０の勤務開始時刻欄５２６および勤務終了時刻欄５２８を検索し、その時間帯に勤務可能な作業者のうち、優先順位の高いリプロセス作業者を割り当てる。割り当てるべき作業者が検索できないときには、例えば、割当不可能である旨のメッセージを表示させてもよい。
これにより、複数のリプロセス作業について、各作業者の勤務時間とスキルを考慮した上で、適切な作業者に作業を割り振ることができる。
【０１７３】
また、スケジュール生成装置１００は、詳細なリプロセススケジュールを作成するにあたり、単に、処理可能となる時間が早い医療器材から順次処理されるようにスケジュールを作成するのではなく、他の要素も考慮して、詳細なリプロセススケジュールを作成することが可能であるように構成されてもよい。
この場合、割当を行う順序を決定するにあたり、重要視する項目やポイントを、および、さらに、その項目間での優先順位などを、ユーザが設定可能な構成としてもよい。
【０１７４】
例えば、スケジュール作成時点からデッドラインまでに残されている時間（以下、「残余時間」ともいう）が短い医療器材は優先的に処理すべきである。ただし、残余時間には余裕がある場合であっても、例えば、滅多に行われない手術の医療器材等、スペアが用意されていないような場合には、念のために、できるだけ早くリプロセス処理をしておきたいという要請がある。
以下、スケジュール生成装置１００において、詳細なリプロセススケジュールを作成するにあたり、残余時間と、手術毎に定められた手術別優先度の、どちらをどの程度、優先させるのか、ユーザが設定可能である構成とした場合について、説明する。
【０１７５】
図２０は、詳細なリプロセススケジュールを作成する際に、各手術で用いられた医療器材について、手術別優先度と残余時間によってリプロセススケジュールに割り当てる順序を決定する処理を説明するためのフローチャートである。
まず、スケジュール生成装置１００の手術別優先度設定部（図示せず）が、ユーザからの入力にもとづいて、あるいは、その手術で使用する医療器材種にもとづいて、手術オーダ毎に、リプロセススケジュールに割り当てる際の優先度を設定する（Ｓ８０）。手術別優先度設定部は例えば、ユーザに、優先度１〜５のいずれかを選択入力させて、その値を手術別優先度として設定してもよい。
【０１７６】
スケジュール生成装置１００の開始可能時刻算出部（図示せず）は、リプロセススケジュール作成対象範囲に含まれる手術オーダについて、器材リスト取得部１０２から取得した手術の終了時刻と、所要時間記憶部１１２から読み出したリードタイムにもとづいて、順次、各リプロセス工程の開始可能時刻を算出する。開始可能時刻は、ピース作成部が算出した値を用いてもよい。また、デッドライン算出部１０６は、図４および図５に関して前述した手順と同様の手順で、各リプロセス工程のデッドラインを算出する（Ｓ８２）。
【０１７７】
スケジュール生成装置１００の残余時間算出部（図示せず）は、デッドライン算出部１０６が算出したデッドラインから、スケジュール作成時点の時刻と処理開始可能時刻とのうち、デッドラインに近い時刻を差し引くことで、残余時間を算出する（Ｓ８４）。
【０１７８】
計画支援装置６０の指示受付部６２は、ユーザが指示入力部７６から入力した、作業割り当て順序選択方法の入力を受け付け（Ｓ８６）、スケジュール作成指示部６４に受け渡す。ユーザは、作業割り当て順序選択方法として、例えば、残余時間と手術別優先度との、どちらをどの程度優先させてスケジュールを作成するのか指示することができる。
以下に、ユーザが、残余時間の範囲と、手術別優先度の範囲とを指定する形式の作業割り当て順序選択方法の指定例を示す。
【０１７９】
（１）  残余時間が６０分以下の手術オーダ。
（２）  優先度１以内の手術オーダ。
（３）  残余時間が１８０分以下の手術オーダ。
（４）  優先度３以内の手術オーダ。
（５）  残余時間が２４０分以下の手術オーダ。
【０１８０】
上記の作業割り当て順序選択方法の指定例は、条件（１）（２）（３）（４）（５）の順序で、スケジュールを作成すべきことを指定している。
スケジュール生成装置１００の割当処理部は、スケジュール作成指示部６４から指示を受けると、指定された条件を充たす手術オーダに用いられる医療器材について、順次、リプロセススケジュール作成処理を繰り返す（Ｓ８８からＳ９８）。
【０１８１】
具体的には、割当処理部は、まず、指定された条件の範囲内の手術情報を取得する（Ｓ９０）。例えば、条件（１）の場合、スケジュール作成対象期間内で、残余時間が６０分以下の手術オーダ情報を取得する。そして、取得した手術オーダに用いられる医療器材の各リプロセス処理についてリプロセススケジュールを作成する。具体的には、リプロセス処理開始時刻が、作業開始可能時刻から処理開始デッドラインまでの間であり、かつ、作業者を割当可能であり、さらに、リプロセス機器を使用する工程については、機器を使用可能であるように、リプロセス作業の開始時刻と終了時刻、使用機器、作業担当者等を決定する（Ｓ９４）。
割当処理部は、取得した手術オーダすべてについて、リプロセススケジュール作成が完了するまで、ステップＳ９２からステップＳ９６のリプロセススケジュール作成処理を繰り返す。
【０１８２】
指定された条件のすべてについて、作業割り当て処理が完了すると（Ｓ９８）、割当処理部は、スケジュール作成対象期間内で、かつ、指定された条件の範囲外の手術オーダについてのデータを取得する（Ｓ１００）。そして、取得した手術オーダに用いられる医療器材の各リプロセス処理について、同様にリプロセススケジュールを作成する（Ｓ１０４）。
割当処理部は、条件範囲外のデータとして取得した手術オーダすべてについて、リプロセススケジュール作成が完了するまで、ステップＳ１０２からステップＳ１０６のリプロセススケジュール作成処理を繰り返す。
【０１８３】
このように、医療器材のリプロセス処理の詳細なスケジュールを作成する際に、どの手術に用いられた医療器材を先に処理するのか、手術毎に定めた優先度や時間的余剰など、複数の条件をユーザによって指定可能とすることにより、各医療機関や、個別の事情に応じた、きめ細かなスケジュール作成が可能となる。
例えば、スペアのない医療器材を用いる手術については、あらかじめ高い優先度を設定することで、同じ種類の医療器材を用いる緊急手術が発生した場合に医療器材が準備できないといった問題の発生率を下げることができる。
【０１８４】
以上、いくつかの実施の形態を説明した。これらの実施の形態の任意の組み合わせもまた本発明の実施の形態として有用である。組み合わせによって生じる新たな実施の形態は、組み合わされる実施の形態それぞれの効果をあわせもつ。
【産業上の利用可能性】
【０１８５】
以上のように本発明は、医療行為において使用される医療器材のリプロセス作業のスケジュールを管理するためのシステムおよび方法に利用可能である。
【符号の説明】
【０１８６】
３０  スケジュール管理システム、  ４０  作業支援装置、  ４４  スケジュール照合部、  ４６  提示データ生成部、  ４８  作業マニュアル記憶部、  ５２  読み取り部、  ６０  計画支援装置、  ６６  スケジュール照合部、  ６８  作業量算出指示部、  ７４  提示データ生成部、  １００  スケジュール生成装置、  １０２  器材リスト取得部、  １０４  器材特定部、  １０６  デッドライン算出部、  １０８  作業量算出部、  １１２  所要時間記憶部、  １１８  スケジュール記憶部。
【図１】
2012164285.tif 000003
【図２】
2012164285.tif 000004
【図３】
2012164285.tif 000005
【図４】
2012164285.tif 000006
【図５】
2012164285.tif 000007
【図６】
2012164285.tif 000008
【図７】
2012164285.tif 000009
【図８】
2012164285.tif 000010
【図９】
2012164285.tif 000011
【図１０】
2012164285.tif 000012
【図１１】
2012164285.tif 000013
【図１２】
2012164285.tif 000014
【図１３】
2012164285.tif 000015
【図１４】
2012164285.tif 000016
【図１５】
2012164285.tif 000017
【図１６】
2012164285.tif 000018
【図１７】
2012164285.tif 000019
【図１８】
2012164285.tif 000020
【図１９】
2012164285.tif 000021
【図２０】
2012164285.tif 000022